(57)【要約】  いくつかの実施形態によれば、ユーザ機器（ＵＥ）における使用のための、オン／オフ時間マスクに従ってワイヤレス信号を送信する方法は、当該ＵＥとセルとの間でワイヤレス信号を動作させるための送信時間インターバル（ＴＴＩ）を取得することと、取得される当該ＴＴＩに基づいて、複数のオン／オフ時間マスクからあるオン／オフ時間マスクを決定することと、を含む。当該オン／オフ時間マスクは、関連付けられるＴＴＩを基準とする電力上昇及び下降のための過渡期の長さ及び位置を特定する。この方法は、決定される当該オン／オフ時間マスクに従って、当該セル内で当該ワイヤレス信号を送信することをさらに含む。例えば、当該オン／オフ時間マスクを決定することは、取得される当該ＴＴＩの長さが閾値未満である場合に、あるオン／オフ時間マスクを決定することと、取得される当該ＴＴＩの当該長さが当該閾値以上である場合に、別のオン／オフ時間マスクを決定することと、を含み得る。【選択図】図１２Ｂ
2019537885.tif 000002
【特許請求の範囲】
【請求項１】
ユーザ機器（ＵＥ）における使用のための、オン／オフ時間マスクに従ってワイヤレス信号を送信する方法であって、
前記ＵＥとセルとの間で第１のワイヤレス信号を動作させるための第１の送信時間インターバル（ＴＴＩ）を取得すること（９１２）と、
取得される前記第１のＴＴＩに基づいて、複数のオン／オフ時間マスクから第１のオン／オフ時間マスクを決定すること（９１４）であって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記セル内で前記第１のワイヤレス信号を送信すること（９１６）と、
を含む方法。
【請求項２】
請求項１の方法であって、前記複数のオン／オフ時間マスクは、
前記上昇過渡期及び前記下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、方法。
【請求項３】
請求項２の方法であって、前記複数のオン／オフ時間マスクの各々についての前記関連付けられるＴＴＩは、複数の相前後するＴＴＩを含む、方法。
【請求項４】
請求項１〜３のいずれかの方法であって、取得される前記第１のＴＴＩは、アップリンクＴＴＩ及びダウンリンクＴＴＩのうちの少なくとも一方を含む、方法。
【請求項５】
請求項１〜４のいずれかの方法であって、前記第１のオン／オフ時間マスクを決定すること（９１４）は、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、を含む、方法。
【請求項６】
請求項１〜５のいずれかの方法であって、前記第１のオン／オフ時間マスクを決定すること（９１４）は、取得される前記ＴＴＩ及びワイヤレス信号の信号タイプに基づいて、前記オン／オフ時間マスクを決定することを含む、方法。
【請求項７】
請求項６の方法であって、前記信号タイプは、送信されるべき前記ワイヤレス信号の信号タイプを含む、方法。
【請求項８】
請求項７の方法であって、
送信されるべき前記ワイヤレス信号の前記信号タイプがリファレンス信号を含む場合、前記オン／オフ時間マスクを決定すること（９１４）は、前記上昇過渡期及び前記下降過渡期が前記関連付けられるＴＴＩの範囲内の時間に位置するオン／オフ時間マスクを決定することを含み、
送信されるべき前記ワイヤレス信号の前記信号タイプがユーザデータを含む場合、前記オン／オフ時間マスクを決定すること（９１４）は、前記上昇過渡期及び前記下降過渡期が前記関連付けられるＴＴＩの外側の時間に位置するオン／オフ時間マスクを決定することを含む、方法。
【請求項９】
請求項６の方法であって、前記信号タイプは、隣接するＴＴＩにおいて送信されるべきワイヤレス信号の信号タイプを含む、方法。
【請求項１０】
請求項９の方法であって、
隣接するＴＴＩにおいて送信されるべき前記ワイヤレス信号の前記信号タイプがリファレンス信号を含む場合、前記オン／オフ時間マスクを決定すること（９１４）は、前記上昇過渡期及び前記下降過渡期が前記関連付けられるＴＴＩの外側の時間に位置するオン／オフ時間マスクを決定することを含み、
隣接するＴＴＩにおいて送信されるべき前記ワイヤレス信号の前記信号タイプがユーザデータを含む場合、前記オン／オフ時間マスクを決定すること（９１４）は、前記上昇過渡期及び前記下降過渡期が前記関連付けられるＴＴＩの範囲内の時間に位置するオン／オフ時間マスクを決定することを含む、方法。
【請求項１１】
請求項１〜１０のいずれかの方法であって、
前記ＵＥと前記セルとの間で第２のワイヤレス信号を動作させるための第２のＴＴＩを取得すること（９１２）と、
取得される前記第２のＴＴＩに基づいて、前記複数のオン／オフ時間マスクから第２のオン／オフ時間マスクを決定すること（９１４）と、
決定される前記第２のオン／オフ時間マスクに従って、前記セル内で前記第２のワイヤレス信号を送信すること（９１６）と、
をさらに含む、方法。
【請求項１２】
オン／オフ時間マスクに従ってワイヤレス信号を送信することが可能なユーザ機器（ＵＥ）（１１０５）であって、プロセッサ（１２０５）を含み、前記プロセッサは、
前記ＵＥとセルとの間で第１のワイヤレス信号を動作させるための第１の送信時間インターバル（ＴＴＩ）を取得することと、
取得される前記第１のＴＴＩに基づいて、複数のオン／オフ時間マスクから第１のオン／オフ時間マスクを決定することであって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記セル内で前記第１のワイヤレス信号を送信することと、
を行うように動作可能であるＵＥ。
【請求項１３】
請求項１２のＵＥであって、前記複数のオン／オフ時間マスクは、
前記上昇過渡期及び前記下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、ＵＥ。
【請求項１４】
請求項１３のＵＥであって、前記複数のオン／オフ時間マスクの各々についての前記関連付けられるＴＴＩは、複数の相前後するＴＴＩを含む、ＵＥ。
【請求項１５】
請求項１２〜１４のいずれかのＵＥであって、取得される前記第１のＴＴＩは、アップリンクＴＴＩ及びダウンリンクＴＴＩのうちの少なくとも一方を含む、ＵＥ。
【請求項１６】
請求項１２〜１５のいずれかのＵＥであって、前記プロセッサは、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、により前記第１のオン／オフ時間マスクを決定する、ように動作可能である、ＵＥ。
【請求項１７】
請求項１２〜１６のいずれかのＵＥであって、前記プロセッサは、取得される前記ＴＴＩ及びワイヤレス信号の信号タイプに基づいて前記オン／オフ時間マスクを決定することにより、前記第１のオン／オフ時間マスクを決定する、ように動作可能である、ＵＥ。
【請求項１８】
請求項１７のＵＥであって、前記信号タイプは、送信されるべき前記ワイヤレス信号の信号タイプを含む、ＵＥ。
【請求項１９】
請求項１８のＵＥであって、
送信されるべき前記ワイヤレス信号の前記信号タイプがリファレンス信号を含む場合、前記プロセッサは、前記上昇過渡期及び前記下降過渡期が前記関連付けられるＴＴＩの範囲内の時間に位置するオン／オフ時間マスクを決定することにより、前記オン／オフ時間マスクを決定する、ように動作可能であり、
送信されるべき前記ワイヤレス信号の前記信号タイプがユーザデータを含む場合、前記プロセッサは、前記上昇過渡期及び前記下降過渡期が前記関連付けられるＴＴＩの外側の時間に位置するオン／オフ時間マスクを決定することにより、前記オン／オフ時間マスクを決定する、ように動作可能である、ＵＥ。
【請求項２０】
請求項１７のＵＥであって、前記信号タイプは、隣接するＴＴＩにおいて送信されるべきワイヤレス信号の信号タイプを含む、ＵＥ。
【請求項２１】
請求項２０のＵＥであって、
前記プロセッサは、隣接するＴＴＩにおいて送信されるべき前記ワイヤレス信号の前記信号タイプがリファレンス信号を含む場合、前記上昇過渡期及び前記下降過渡期が前記関連付けられるＴＴＩの外側の時間に位置するオン／オフ時間マスクを決定することにより、前記オン／オフ時間マスクを決定する、ように動作可能であり、
前記プロセッサは、隣接するＴＴＩにおいて送信されるべき前記ワイヤレス信号の前記信号タイプがユーザデータを含む場合、前記上昇過渡期及び前記下降過渡期が前記関連付けられるＴＴＩの範囲内の時間に位置するオン／オフ時間マスクを決定することにより、前記オン／オフ時間マスクを決定する、ように動作可能である、ＵＥ。
【請求項２２】
請求項１２〜２１のいずれかのＵＥであって、前記プロセッサは、
前記ＵＥと前記セルとの間で第２のワイヤレス信号を動作させるための第２のＴＴＩを取得し、
取得される前記第２のＴＴＩに基づいて、前記複数のオン／オフ時間マスクから第２のオン／オフ時間マスクを決定し、
決定される前記第２のオン／オフ時間マスクに従って、前記セル内で前記第２のワイヤレス信号を送信する、
ようにさらに動作可能である、ＵＥ。
【請求項２３】
ネットワークノードにおける使用のための、オン／オフ時間マスクに従ってユーザ機器（ＵＥ）からワイヤレス信号を受信する方法であって、
前記ＵＥとセルとの間で第１のワイヤレス信号を動作させるための第１の送信時間インターバル（ＴＴＩ）で前記ＵＥを構成すること（１４５２）と、
前記第１のＴＴＩに基づいて、複数のオン／オフ時間マスクから第１のオン／オフ時間マスクを決定すること（１４５４）であって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記ＵＥから前記第１のワイヤレス信号を受信すること（１４５６）と、
を含む方法。
【請求項２４】
請求項２３の方法であって、前記複数のオン／オフ時間マスクは、
前記上昇過渡期及び前記下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、方法。
【請求項２５】
請求項２４の方法であって、前記複数のオン／オフ時間マスクの各々についての前記関連付けられるＴＴＩは、複数の相前後するＴＴＩを含む、方法。
【請求項２６】
請求項２３〜２５のいずれかの方法であって、構成される前記第１のＴＴＩは、アップリンクＴＴＩ及びダウンリンクＴＴＩのうちの少なくとも一方を含む、方法。
【請求項２７】
請求項２３〜２６のいずれかの方法であって、前記第１のオン／オフ時間マスクを決定すること（１４５４）は、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、を含む、方法。
【請求項２８】
請求項２３〜２７のいずれかの方法であって、前記第１のオン／オフ時間マスクを決定すること（１４５４）は、構成される前記ＴＴＩ及びワイヤレス信号の信号タイプに基づいて、前記オン／オフ時間マスクを決定することを含む、方法。
【請求項２９】
請求項２８の方法であって、前記信号タイプは、受信されるべき前記ワイヤレス信号の信号タイプを含む、方法。
【請求項３０】
請求項２９の方法であって、
受信されるべき前記ワイヤレス信号の前記信号タイプがリファレンス信号を含む場合、前記オン／オフ時間マスクを決定することは、前記上昇過渡期及び前記下降過渡期が前記関連付けられるＴＴＩの範囲内の時間に位置するオン／オフ時間マスクを決定することを含み、
受信されるべき前記ワイヤレス信号の前記信号タイプがユーザデータを含む場合、前記オン／オフ時間マスクを決定することは、前記上昇過渡期及び前記下降過渡期が前記関連付けられるＴＴＩの外側の時間に位置するオン／オフ時間マスクを決定することを含む、方法。
【請求項３１】
請求項２８の方法であって、前記信号タイプは、隣接するＴＴＩにおいて受信されるべきワイヤレス信号の信号タイプを含む、方法。
【請求項３２】
請求項３１の方法であって、
隣接するＴＴＩにおいて受信されるべき前記ワイヤレス信号の前記信号タイプがリファレンス信号を含む場合、前記オン／オフ時間マスクを決定することは、前記上昇過渡期及び前記下降過渡期が前記関連付けられるＴＴＩの外側の時間に位置するオン／オフ時間マスクを決定することを含み、
隣接するＴＴＩにおいて受信されるべき前記ワイヤレス信号の前記信号タイプがユーザデータを含む場合、前記オン／オフ時間マスクを決定することは、前記上昇過渡期及び前記下降過渡期が前記関連付けられるＴＴＩの範囲内の時間に位置するオン／オフ時間マスクを決定することを含む、方法。
【請求項３３】
請求項２３〜３２のいずれかの方法であって、
前記ＵＥとセルとの間でワイヤレス信号を動作させるための第２のＴＴＩで前記ＵＥを構成すること（１４５２）と、
前記第２のＴＴＩに基づいて、前記複数のオン／オフ時間マスクから第２のオン／オフ時間マスクを決定すること（１４５４）と、
決定される前記第２のオン／オフ時間マスクに従って、前記ＵＥから前記第２のワイヤレス信号を受信すること（１４５６）と、
をさらに含む、方法。
【請求項３４】
オン／オフ時間マスクに従ってユーザ機器（ＵＥ）（１１０５）からワイヤレス信号を受信することが可能なネットワークノード（１１１０）であって、プロセッサ（１３０５）を含み、前記プロセッサは、
前記ＵＥとセルとの間で第１のワイヤレス信号を動作させるための第１の送信時間インターバル（ＴＴＩ）で前記ＵＥを構成することと、
前記第１のＴＴＩに基づいて、複数のオン／オフ時間マスクから第１のオン／オフ時間マスクを決定することであって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記ＵＥから前記第１のワイヤレス信号を受信することと、
を行うように動作可能である、ネットワークノード。
【請求項３５】
請求項３４のネットワークノードであって、前記複数のオン／オフ時間マスクは、
前記上昇過渡期及び前記下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、ネットワークノード。
【請求項３６】
請求項３５のネットワークノードであって、前記複数のオン／オフ時間マスクの各々についての前記関連付けられるＴＴＩは、複数の相前後するＴＴＩを含む、ネットワークノード。
【請求項３７】
請求項３４〜３６のいずれかのネットワークノードであって、構成される前記第１のＴＴＩは、アップリンクＴＴＩ及びダウンリンクＴＴＩのうちの少なくとも一方を含む、ネットワークノード。
【請求項３８】
請求項３４〜３７のいずれかのネットワークノードであって、前記プロセッサは、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、により、前記第１のオン／オフ時間マスクを決定する、ように動作可能である、ネットワークノード。
【請求項３９】
請求項３４〜３８のいずれかのネットワークノードであって、前記プロセッサは、構成される前記ＴＴＩ及びワイヤレス信号の信号タイプに基づいて、前記オン／オフ時間マスクを決定することにより、前記第１のオン／オフ時間マスクを決定する、ように動作可能である、ネットワークノード。
【請求項４０】
請求項３９のネットワークノードであって、前記信号タイプは、受信されるべき前記ワイヤレス信号の信号タイプを含む、ネットワークノード。
【請求項４１】
請求項４０のネットワークノードであって、
前記プロセッサは、受信されるべき前記ワイヤレス信号の前記信号タイプがリファレンス信号を含む場合、前記上昇過渡期及び前記下降過渡期が前記関連付けられるＴＴＩの範囲内の時間に位置するオン／オフ時間マスクを決定することにより、前記オン／オフ時間マスクを決定する、ように動作可能であり、
前記プロセッサは、受信されるべき前記ワイヤレス信号の前記信号タイプがユーザデータを含む場合、前記上昇過渡期及び前記下降過渡期が前記関連付けられるＴＴＩの外側の時間に位置するオン／オフ時間マスクを決定することにより、前記オン／オフ時間マスクを決定する、ように動作可能である、ネットワークノード。
【請求項４２】
請求項４０のネットワークノードであって、前記信号タイプは、隣接するＴＴＩにおいて受信されるべきワイヤレス信号の信号タイプを含む、ネットワークノード。
【請求項４３】
請求項４２のネットワークノードであって、
前記プロセッサは、隣接するＴＴＩにおいて受信されるべき前記ワイヤレス信号の前記信号タイプがリファレンス信号を含む場合、前記上昇過渡期及び前記下降過渡期が前記関連付けられるＴＴＩの外側の時間に位置するオン／オフ時間マスクを決定することにより、前記オン／オフ時間マスクを決定する、ように動作可能であり、
前記プロセッサは、隣接するＴＴＩにおいて受信されるべき前記ワイヤレス信号の前記信号タイプがユーザデータを含む場合、前記上昇過渡期及び前記下降過渡期が前記関連付けられるＴＴＩの範囲内の時間に位置するオン／オフ時間マスクを決定することにより、前記オン／オフ時間マスクを決定する、ように動作可能である、ネットワークノード。
【請求項４４】
請求項３４〜４３のいずれかのネットワークノードであって、前記プロセッサは、
前記ＵＥとセルとの間でワイヤレス信号を動作させるための第２のＴＴＩで前記ＵＥを構成し、
前記第２のＴＴＩに基づいて、前記複数のオン／オフ時間マスクから第２のオン／オフ時間マスクを決定し、
決定される前記第２のオン／オフ時間マスクに従って、前記ＵＥから前記第２のワイヤレス信号を受信する、
ようにさらに動作可能である、ネットワークノード。
【請求項４５】
オン／オフ時間マスクに従ってワイヤレス信号を送信することが可能なユーザ機器（ＵＥ）（１１０５）であって、構成モジュール（１３５０）、決定モジュール（１３５２）、及び受信モジュール（１３５６）を含み、
前記取得モジュールは、前記ＵＥとセルとの間で第１のワイヤレス信号を動作させるための第１の送信時間インターバル（ＴＴＩ）を取得する、ように動作可能であり、
前記決定モジュールは、取得される前記第１のＴＴＩに基づいて、複数のオン／オフ時間マスクから第１のオン／オフ時間マスクを決定する、ように動作可能であり、オン／オフ時間マスクは関連付けられるＴＴＩを基準とする電力上昇及び下降のための過渡期の長さ及び位置を特定し、
前記送信モジュールは、決定される前記第１のオン／オフ時間マスクに従って、前記セル内で前記第１のワイヤレス信号を送信する、ように動作可能である、
ＵＥ。
【請求項４６】
オン／オフ時間マスクに従ってユーザ機器（ＵＥ）（１１０５）からワイヤレス信号を受信することが可能なネットワークノード（１１１０）であって、構成モジュール（１３５０）、決定モジュール（１３５２）、及び受信モジュール（１３５４）を含み、
前記構成モジュールは、前記ＵＥとセルとの間で第１のワイヤレス信号を動作させるための第１の送信時間インターバル（ＴＴＩ）で前記ＵＥを構成する、ように動作可能であり、
前記決定モジュールは、前記第１のＴＴＩに基づいて、複数のオン／オフ時間マスクから第１のオン／オフ時間マスクを決定する、ように動作可能であり、オン／オフ時間マスクは関連付けられるＴＴＩを基準とする電力上昇及び下降のための過渡期の長さ及び位置を特定し、
前記受信モジュールは、決定される前記第１のオン／オフ時間マスクに従って、前記ＵＥから前記第１のワイヤレス信号を受信する、ように動作可能である、
ネットワークノード。
【発明の詳細な説明】
【技術分野】
【０００１】
開示される主題は、一般に、電気通信に関する。開示される主題のある実施形態は、より具体的には、ワイヤレス通信のための、短縮される送信時間インターバル（ｓＴＴＩ）、オン／オフマスク及びキャリアアグリゲーション（ＣＡ）に関する。
【背景技術】
【０００２】
３ＧＰＰ（Third  Generation  Partnership  Project）  ＬＴＥ（Long  Term  Evolution）は、ダウンリンクでは、直交周波数分割多重（ＯＦＤＭ）を使用し、各ダウンリンクシンボルはＯＦＤＭシンボルとして言及され得る。アップリンクでは、離散フーリエ変換（ＤＦＴ）拡散ＯＦＤＭを使用し、各アップリンクシンボルはシングルキャリア周波数分割多重アクセス（ＳＣ−ＦＤＭＡ）シンボルとして言及され得る。基本的なＬＴＥのダウンリンク物理リソースは、図１に示したような時間−周波数グリッドを含む。
【０００３】
図１は、例示的なダウンリンク無線サブフレームを示している。横軸は時間を表し、他方の軸は周波数を表す。各リソースエレメントは、１つのＯＦＤＭシンボルインターバルの期間中の１つのＯＦＤＭサブキャリアに相当する。時間ドメインでは、ＬＴＥのダウンリンク送信は、無線フレームへと編成され得る。
【０００４】
図２は、例示的な無線フレームを示している。各無線フレーム１０は、１０ｍｓであり、長さＴsubframe＝１ｍｓで等サイズの１０個のサブフレームからなる。通常のサイクリックプレフィクスについて、１つのサブフレームは１４個のＯＦＤＭシンボルからなる。各シンボルの時間長は、おおよそ７１．４μｓである。
【０００５】
ユーザは、予め決定される量の時間にわたる特定の数のサブキャリアを割り当てられる。それらは、物理リソースブロック（ＰＲＢ）として言及される。ＰＲＢは、よって、時間及び周波数の双方の次元を有する。リソースブロックは、時間ドメインにおいて１つのスロット（０．５ｍｓ）、周波数ドメインにおいて１２個の連続的なサブキャリアに相当する。時間方向に隣り合う２つのリソースブロックのペア（１．０ｍｓ）は、リソースブロックペアとして知られている。その時間インターバルは、送信時間インターバル（ＴＴＩ）として言及され得る。
【０００６】
ダウンリンク送信は動的にスケジューリングされる（即ち、各サブフレームにおいて、基地局は、その時点のダウンリンクサブフレームについてどの端末がデータの送信先であり及びどのリソースブロック上でデータが送信されるかに関する制御情報を送信する）。この制御シグナリングは、典型的には、各サブフレーム内の最初から１、２、３又は４個のＯＦＤＭシンボルにおいて送信され、ｎ＝１、２、３又は４という数は、制御領域の最初のシンボルにおいて送信される物理ＣＦＩチャネル（ＰＣＦＩＣＨ）により指し示される制御フォーマットインジケータ（ＣＦＩ）として知られている。制御領域は、物理ダウンリンク制御チャネル（ＰＤＣＣＨ）をも含み、恐らくは、アップリンク送信についてのＡＣＫ／ＮＡＣＫを搬送する物理ＨＡＲＱ指示チャネル（ＰＨＩＣＨ）をも含む。
【０００７】
ダウンリンクサブフレームは、共通リファレンスシンボル（ＣＲＳ）をも含んでおり、ＣＲＳは、受信機にとって既知であり、例えば制御情報をコヒーレントに復調するために使用される。図１には、ＣＦＩ＝３という個数のＯＦＤＭシンボルを制御として有するダウンリンクシステムが示されている。Ｒｅｌ８のＴＴＩでは、ダウンリンク送信の１つのこのような部分が、１つのＴＴＩとして言及される。
【０００８】
パケットデータのレイテンシは、ベンダ及び事業者だけでなく、エンドユーザまでもが（速度テストアプリケーションを介して）通常測定する性能メトリックのうちの１つである。レイテンシの測定は、新たなソフトウェアリリース又はシステムコンポーネントの検証時、システム配備時、及び、そのシステムの商業的運用時といった、無線アクセスネットワークシステムの耐用期間の全段階において行われる。
【０００９】
前世代の３ＧＰＰ  ＲＡＴよりも短いレイテンシは、ＬＴＥの設計を方向付けた１つの性能メトリックである。ＬＴＥは、前世代のモバイル無線技術よりも、インターネットへの高速アクセス及び低データレイテンシを提供するものとして、エンドユーザにより認識されている。
【００１０】
パケットデータのレイテンシは、システムの、知覚される応答性にとって重要であるだけではなく、システムのスループットに間接的に影響を及ぼすパラメータでもある。ＨＴＴＰ／ＴＣＰは、今日のインターネット上で使用される、アプリケーション層及びトランスポート層のプロトコルスイートの主流である。ＨＴＴＰアーカイブ（httparchive.orgの動向（trends）を参照）によると、インターネットを通じたＨＴＴＰベースのトランザクションの典型的なサイズは、数十Ｋｂｙｔｅから１Ｍｂｙｔｅまでの範囲内にある。このサイズ範囲において、ＴＣＰのスロースタートピリオドは、パケットストリームの総トランスポートピリオドのうちの有意な部分である。ＴＣＰのスロースタートの期間中においては、性能がレイテンシにより制約を受ける。よって、このタイプのＴＣＰベースのデータトランザクションについては、レイテンシの改善により平均スループットが改善されることを、かなり容易に示すことができる。
【００１１】
無線リソース効率は、レイテンシ短縮によりプラスの影響を受け得る。より低いパケットデータレイテンシは、ある遅延限界以内で可能な送信の数を増加させ得る。よって、データ送信のためにより高いブロックエラーレート（ＢＬＥＲ）の目標値を使用し得るはずであり、それにより無線リソースを解放することで、システムのキャパシティが潜在的に改善される。
【００１２】
パケットレイテンシ短縮に関して扱うべき１つの分野が、ＴＴＩ長を変更することによる、データ及び制御シグナリングのトランスポート時間の短縮である。ＬＴＥリリース８では、ＴＴＩは、１ミリ秒の長さの１つのサブフレーム（ＳＦ）に相当する。１つのこのような１ｍｓのＴＴＩは、通常サイクリックプレフィクスのケースにおいては、１４個のＯＦＤＭシンボル又はＳＣ−ＦＤＭＡシンボルを用いて構築され、拡張サイクリックプレフィクスのケースにおいては、１２個のＯＦＤＭシンボル又はＳＣ−ＦＤＭＡシンボルを用いて構築される。ＬＴＥリリース１３は、ＬＴＥリリース８のＴＴＩよりも遥かに短いＴＴＩを用いた送信を仕様化し得る。これらの、より短いＴＴＩは、任意の時間長を有してよく、１ｍｓのＳＦの範囲内のある数のＯＦＤＭシンボル又はＳＣ−ＦＤＭＡシンボル上にリソースを含み得る。１つの例として、ショートＴＴＩの時間長は、０．５ｍｓ（即ち、通常サイクリックプレフィクスを有するケースについては、７個のＯＦＤＭシンボル又はＳＣ−ＦＤＭＡシンボル）であり得る。別の例として、ショートＴＴＩの時間長は、２個のシンボルであり得る。
【００１３】
図１に見られるように、ＴＴＩ長は、１４個のＯＦＤＭシンボルからなる。短縮されるＴＴＩのケースでは、ＴＴＩ長を２−ＯＦＤＭシンボル、４−ＯＦＤＭシンボル、又は７−ＯＦＤＭシンボルまで短縮することができる。これらはそれぞれ、２−ＯＳ  ｓＴＴＩ、４−ＯＳ  ｓＴＴＩ、及び７−ＯＳ  ｓＴＴＩと表記される。ここでのＯＦＤＭシンボルは、ＳＣ−ＦＤＭＡシンボルであることもでき、又は、いかなるタイプのシンボルであってもよい。
【００１４】
短縮されるＴＴＩは、ダウンリンク及びアップリンクといった異なる方向において、異なる値で使用され得る。例えば、ダウンリンクが２−ＯＳ  ｓＴＴＩを使用して、アップリンクが同じセル内で４−ＯＳ  ｓＴＴＩを使用してよい。
【００１５】
ＦＳ１、ＦＳ２、及びＦＳ３といった異なるフレーム構造が、異なる長さのｓＴＴＩを使用してもよい。図２の時間ドメイン構造は、ＦＳ１に関する。ＦＳ１については、２−ＯＳ、４ＯＳ、及び７ＯＳのＴＴＩが使用可能である。ＴＤＤについて使用されるＦＳ２については、７−ＯＳ  ｓＴＴＩが、複数の短縮されるＴＴＩモードのうちの１つである。図３〜図５には、いくつかの例示的なＴＴＩ時間長が示されている。
【００１６】
例えば、具体的なネットワークは、ダウンリンクで７−シンボルＴＴＩを使用し得る。図３は、７−シンボルＴＴＩの一例を示している。各ＴＴＩは、７個のＯＦＤＭシンボル２０を含む。図示したこのｓＴＴＩ構造がアップリンクについても使用されてもよい。
【００１７】
具体的なネットワークは、ダウンリンクで４−シンボルＴＴＩを使用してもよい。図４は、４−シンボルＴＴＩの一例を示している。各ＴＴＩは、４個のＯＦＤＭシンボル２０を含む。図示したこのｓＴＴＩ構造がアップリンクについて使用されてもよい。
【００１８】
図５は、アップリンクについてのショートＴＴＩの例を示している。図５の例は、様々なＴＴＩ長を示している。２−ＯＳ  ｓＴＴＩは、例示されている２つのオプションのうちの１つを有することができる。
【００１９】
アップリンクｓＴＴＩには、以下の特性が当てはまる。アップリンクについては、３つの異なるＴＴＩ長が使用され得る。これら３つのうち、２ＯＳ  ＴＴＩについては、異なるパターンがあり得る。高速アップリンクグラントは、ＴＴＩ長の動的なインジケーション及び／又はＤＭＲＳ位置の動的なインジケーションを含み得る。いくつかのＴＴＩパターンについては、ＵＥ間での共有ＤＭＲＳが可能である。いくつかのＵＥについて、このことは、ＵＥが近隣のＴＴＩをまたいでスケジューリングされる場合に、このＵＥが２つのＴＴＩのためのＤＭＲＳを送信することをも意味する。
【００２０】
ショートＴＴＩは、ＵＥについてのオン／オフ時間マスクに影響を及ぼし得る。ＴＳ３６．１０１、ｖ１４．１．０、セクション６．３．４は、時間マスクについて記述している。汎用オン／オフ時間マスクは、送信オフ電力から送信オン電力までの、及び、送信オン電力から送信オフ電力までの、観測ピリオドを定義する。オン／オフのシナリオは、以下のもの、即ち、ＤＴＸの開始又は終了、測定ギャップ、連続送信、及び非連続送信を含む。オフ電力測定ピリオドは、いかなる過渡期をも除いて、少なくとも１つのサブフレームの時間長において定義される。オン電力は、いかなる過渡期をも除いて、１つのサブフレームにわたる平均電力として定義される。第６．２．２項及び第６．６．２．３項において求められる、これ以外のＵＥ送信電力についての追加的な要件は無い。
【００２１】
図６は、例示的なオン／オフ時間マスクを示している。図６は、ＴＳ３６．１０１、ｖ１４．１．０、図６．３．４．１−１から転載されている。横軸は時間を表し、縦軸は送信電力を表す。上記のように、オン／オフ時間マスクは、Ｒｅｌ８のレガシーＬＴＥシステムにおいて、１ｍｓのＴＴＩ向けに設計されている。
【００２２】
このマスクにおける、電力のランピング（上昇又は下降）の時間長は、サブフレーム又はスロットの長さよりも短いが、その位置は、システム性能に影響を及ぼす。ランピングのピリオド又は過渡期の時間的な位置は、非限定的ないくつかの可能性を含む。図７には、いくつかの例が示されている。
【００２３】
図７は、電力の上昇過渡期及び下降過渡期についての３つの例示的な時間的位置を示している。位置（ａ）は、時間スロット／サブフレームの外側のランピングを示している。位置（ｂ）は、時間スロット／サブフレームの内側のランピングを示している。位置（ｃ）は、時間スロット／サブフレームの部分的に内側の、及び、部分的に外側のランピングを示している。
【発明の概要】
【００２４】
いくつかの実施形態において、キャリアアグリゲーションモードで動作するユーザ機器（ＵＥ）における方法は、概して、以下のステップを含む。ステップ−１：第１のキャリア（Ｆ１）上で第１のセル（ｃｅｌｌ１）とＵＥとの間で第１の信号（Ｓ１）を動作させるために使用される第１の送信時間インターバル（ＴＴＩ１）を、（予め定義されたルールに基づいて、又は、ネットワークノード若しくは別のＵＥから受信することで）取得すること、若しくは、決定すること、及び／又は、第２のキャリア（Ｆ２）上の（ｃｅｌｌ２）とＵＥとの間で第２の信号（Ｓ２）を動作させるために使用される第２の送信時間インターバル（ＴＴＩ２）を、（予め定義されたルールに基づいて、又は、ネットワークノード若しくは別のＵＥから受信することで）取得すること、若しくは、決定すること。ステップ−２：ＴＴＩ１及びＴＴＩ２の決定される値に基づいて、第１のＴＴＩ１に関連付けられる第１のタイプのオン／オフ時間マスク（ｍａｓｋ１）、及び／又は、第２のＴＴＩ２に関連付けられる第２のタイプのオン／オフ時間マスク（ｍａｓｋ２）を決定すること。ステップ−３：決定されるオン／オフ時間マスク（ｍａｓｋ１及びｍａｓｋ２）に基づいて、ｃｅｌｌ１及び／又はｃｅｌｌ２へ信号（Ｓ１及び／又はＳ２）をそれぞれ送信すること。
【００２５】
いくつかの実施形態において、ネットワークノードにおける方法は、概して、以下のステップを含む。ステップ−１：第１のキャリア（Ｆ１）上で第１のセル（ｃｅｌｌ１）及び／又はＵＥとの間で第１の信号（Ｓ１）を動作させるために使用される第１の送信時間インターバル（ＴＴＩ１）で、及び、第２のセル（ｃｅｌｌ２）とＵＥとの間で第２のキャリア（Ｆ２）上で第２の信号（Ｓ２）を動作させるために使用される第２の送信時間インターバル（ＴＴＩ２）で、ＵＥを構成すること。ステップ−２：ＴＴＩ１及びＴＴＩ２の決定される値に基づいて、アップリンク信号を送信するためにＵＥにより選択され若しくは使用されるべき第１のＴＴＩ１についての第１のタイプのオン／オフ時間マスク（ｍａｓｋ１）、及び／又は、アップリンク信号を送信するためにＵＥにより選択され若しくは使用されるべき第２のＴＴＩ２についての第２のタイプのオン／オフ時間マスク（ｍａｓｋ２）を決定すること。ステップ−３：決定されるオン／オフ時間マスクに基づいて、ＵＥから、ｃｅｌｌ１内で信号Ｓ１を、及び／又は、ｃｅｌｌ２内で信号Ｓ２を、受信すること。ステップ−４：いくつかの実施形態は、１つ以上の動作上のタスクのために、受信される信号及び／又は決定されるマスクを使用し得る。
【００２６】
旧来のアプローチに関連付けられる欠点の認識の下である複数の実施形態が提示され、それは以下の通りである。現行の仕様において、オン／オフ時間マスクは、１ｍｓの送信時間インターバル（ＴＴＩ）時間長向けに定義されている。過渡期は２０μｓと定義されており、これは、１ｍｓのＴＴＩ時間長に比べて小さい。しかしながら、より短いＴＴＩ長（例えば、１４−ＯＳ又は１ｍｓに比べて２−ＯＳ）を用いると、この過渡期がＴＴＩ時間長との対比において有意なものになる恐れがある。この問題は、２つの相前後するＴＴＩにおいてＵＥに割り当てが行われる場合に顕著になる恐れがある。そのケースでは、レガシーのマスクにより、ＴＴＩ時間長の大部分の逸失を引き起こす恐れがある。具体的な実施形態は、キャリアアグリゲーションにおいて異なるサービングセル上で同じ又は異なるＴＴＩで構成されるＵＥによる信号の送信に関する動作を向上させ得る。
【００２７】
いくつかの実施形態によれば、ＵＥにおける使用のための、オン／オフ時間マスクに従ってワイヤレス信号を送信する方法は、上記ＵＥとセルとの間で第１のワイヤレス信号を動作させるための第１のＴＴＩを取得することと、取得される上記第１のＴＴＩに基づいて、複数のオン／オフ時間マスクから第１のオン／オフ時間マスクを決定することと、を含む。上記オン／オフ時間マスクは、関連付けられるＴＴＩを基準とする電力上昇及び下降のための過渡期の長さ及び位置を特定する。この方法は、決定される上記第１のオン／オフ時間マスクに従って、上記セル内で上記第１のワイヤレス信号を送信することをさらに含む。
【００２８】
具体的な実施形態において、上記複数のオン／オフ時間マスクは、上記上昇過渡期及び上記下降過渡期が上記関連付けられるＴＴＩの範囲内の時間に位置するオン／オフ時間マスク、上記上昇過渡期及び上記下降過渡期が上記関連付けられるＴＴＩの外側の時間に位置するオン／オフ時間マスク、上記上昇過渡期が上記関連付けられるＴＴＩの範囲内の時間に位置し、上記下降過渡期が上記関連付けられるＴＴＩの外側の時間に位置するオン／オフ時間マスク、並びに、上記上昇過渡期が上記関連付けられるＴＴＩの外側の時間に位置し、上記下降過渡期が上記関連付けられるＴＴＩの範囲内の時間に位置するオン／オフ時間マスク、というオン／オフ時間マスクのうちのいずれかを含む。上記複数のオン／オフ時間マスクの各々についての上記関連付けられるＴＴＩは、複数の相前後するＴＴＩを含み得る。取得される上記第１のＴＴＩは、アップリンクＴＴＩ及びダウンリンクＴＴＩのうちの少なくとも一方を含み得る。
【００２９】
具体的な実施形態において、上記第１のオン／オフ時間マスクを決定することは、取得される上記ＴＴＩの長さが閾値未満である場合に、あるオン／オフ時間マスクを決定することと、取得される上記ＴＴＩの上記長さが上記閾値以上である場合に、別のオン／オフ時間マスクを決定することと、を含み得る。
【００３０】
具体的な実施形態において、上記第１のオン／オフ時間マスクを決定することは、取得される上記ＴＴＩ及びワイヤレス信号の信号タイプに基づいて、上記オン／オフ時間マスクを決定することを含む。いくつかの実施形態において、上記信号タイプは、送信されるべき上記ワイヤレス信号の信号タイプを含む。送信されるべき上記ワイヤレス信号の上記信号タイプがリファレンス信号を含む場合、上記オン／オフ時間マスクを決定することは、上記上昇過渡期及び上記下降過渡期が上記関連付けられるＴＴＩの範囲内の時間に位置するオン／オフ時間マスクを決定することを含み得る。送信されるべき上記ワイヤレス信号の上記信号タイプがユーザデータを含む場合、上記オン／オフ時間マスクを決定することは、上記上昇過渡期及び上記下降過渡期が上記関連付けられるＴＴＩの外側の時間に位置するオン／オフ時間マスクを決定することを含み得る。
【００３１】
具体的な実施形態において、上記信号タイプは、隣接するＴＴＩにおいて送信されるべきワイヤレス信号の信号タイプを含む。隣接するＴＴＩにおいて送信されるべき上記ワイヤレス信号の上記信号タイプがリファレンス信号を含む場合、上記オン／オフ時間マスクを決定することは、上記上昇過渡期及び上記下降過渡期が上記関連付けられるＴＴＩの外側の時間に位置するオン／オフ時間マスクを決定することを含み得る。隣接するＴＴＩにおいて送信されるべき上記ワイヤレス信号の上記信号タイプがユーザデータを含む場合、上記オン／オフ時間マスクを決定することは、上記上昇過渡期及び上記下降過渡期が上記関連付けられるＴＴＩの範囲内の時間に位置するオン／オフ時間マスクを決定することを含み得る。
【００３２】
具体的な実施形態において、この方法は、上記ＵＥと上記セルとの間で第２のワイヤレス信号を動作させるための第２のＴＴＩを取得することと、取得される上記第２のＴＴＩに基づいて、上記複数のオン／オフ時間マスクから第２のオン／オフ時間マスクを決定することと、決定される上記第２のオン／オフ時間マスクに従って、上記セル内で上記第２のワイヤレス信号を送信することと、をさらに含む。
【００３３】
いくつかの実施形態によれば、ＵＥは、オン／オフ時間マスクに従ってワイヤレス信号を送信することが可能である。上記ＵＥはプロセッサを含み、上記プロセッサは、上記ＵＥとセルとの間で第１のワイヤレス信号を動作させるための第１のＴＴＩを取得することと、取得される上記第１のＴＴＩに基づいて、複数のオン／オフ時間マスクから第１のオン／オフ時間マスクを決定することと、を行うように動作可能である。上記オン／オフ時間マスクは、関連付けられるＴＴＩを基準とする電力上昇及び下降のための過渡期の長さ及び位置を特定する。上記プロセッサは、決定される上記第１のオン／オフ時間マスクに従って、上記セル内で上記第１のワイヤレス信号を送信することを行うようにさらに動作可能である。
【００３４】
具体的な実施形態において、上記複数のオン／オフ時間マスクは、上記上昇過渡期及び上記下降過渡期が上記関連付けられるＴＴＩの範囲内の時間に位置するオン／オフ時間マスク、上記上昇過渡期及び上記下降過渡期が上記関連付けられるＴＴＩの外側の時間に位置するオン／オフ時間マスク、上記上昇過渡期が上記関連付けられるＴＴＩの範囲内の時間に位置し、上記下降過渡期が上記関連付けられるＴＴＩの外側の時間に位置するオン／オフ時間マスク、並びに、上記上昇過渡期が上記関連付けられるＴＴＩの外側の時間に位置し、上記下降過渡期が上記関連付けられるＴＴＩの範囲内の時間に位置するオン／オフ時間マスク、というオン／オフ時間マスクのうちのいずれかを含む。上記複数のオン／オフ時間マスクの各々についての上記関連付けられるＴＴＩは、複数の相前後するＴＴＩを含み得る。取得される上記第１のＴＴＩは、アップリンクＴＴＩ及びダウンリンクＴＴＩのうちの少なくとも一方を含み得る。
【００３５】
具体的な実施形態において、上記プロセッサは、取得される上記ＴＴＩの長さが閾値未満である場合に、あるオン／オフ時間マスクを決定することと、取得される上記ＴＴＩの上記長さが上記閾値以上である場合に、別のオン／オフ時間マスクを決定することと、により、上記第１のオン／オフ時間マスクを決定する、ように動作可能である。
【００３６】
具体的な実施形態において、上記プロセッサは、取得される上記ＴＴＩ及びワイヤレス信号の信号タイプに基づいて、上記オン／オフ時間マスクを決定することにより、上記第１のオン／オフ時間マスクを決定する、ように動作可能である。いくつかの実施形態において、上記信号タイプは、送信されるべき上記ワイヤレス信号の信号タイプを含む。送信されるべき上記ワイヤレス信号の上記信号タイプがリファレンス信号を含む場合、上記プロセッサは、上記上昇過渡期及び上記下降過渡期が上記関連付けられるＴＴＩの範囲内の時間に位置するオン／オフ時間マスクを決定することにより、上記オン／オフ時間マスクを決定する、ように動作可能であり得る。送信されるべき上記ワイヤレス信号の上記信号タイプがユーザデータを含む場合、上記プロセッサは、上記上昇過渡期及び上記下降過渡期が上記関連付けられるＴＴＩの外側の時間に位置するオン／オフ時間マスクを決定することにより、上記オン／オフ時間マスクを決定する、ように動作可能であり得る。
【００３７】
具体的な実施形態において、上記信号タイプは、隣接するＴＴＩにおいて送信されるべきワイヤレス信号の信号タイプを含む。隣接するＴＴＩにおいて送信されるべき上記ワイヤレス信号の上記信号タイプがリファレンス信号を含む場合、上記プロセッサは、上記上昇過渡期及び上記下降過渡期が上記関連付けられるＴＴＩの外側の時間に位置するオン／オフ時間マスクを決定することにより、上記オン／オフ時間マスクを決定する、ように動作可能であり得る。隣接するＴＴＩにおいて送信されるべき上記ワイヤレス信号の上記信号タイプがユーザデータを含む場合、上記プロセッサは、上記上昇過渡期及び上記下降過渡期が上記関連付けられるＴＴＩの範囲内の時間に位置するオン／オフ時間マスクを決定することにより、上記オン／オフ時間マスクを決定する、ように動作可能であり得る。
【００３８】
具体的な実施形態において、上記プロセッサは、上記ＵＥと上記セルとの間で第２のワイヤレス信号を動作させるための第２のＴＴＩを取得し、取得される上記第２のＴＴＩに基づいて、上記複数のオン／オフ時間マスクから第２のオン／オフ時間マスクを決定し、決定される上記第２のオン／オフ時間マスクに従って、上記セル内で上記第２のワイヤレス信号を送信する、ようにさらに動作可能である。
【００３９】
いくつかの実施形態によれば、ネットワークノードにおける使用のための、オン／オフ時間マスクに従ってＵＥからワイヤレス信号を受信する方法は、上記ＵＥとセルとの間で第１のワイヤレス信号を動作させるための第１のＴＴＩで上記ＵＥを構成することと、上記第１のＴＴＩに基づいて、複数のオン／オフ時間マスクから第１のオン／オフ時間マスクを決定することと、を含む。上記オン／オフ時間マスクは、関連付けられるＴＴＩを基準とする電力上昇及び下降のための過渡期の長さ及び位置を特定する。この方法は、決定される上記第１のオン／オフ時間マスクに従って、上記ＵＥから上記第１のワイヤレス信号を受信することをさらに含む。
【００４０】
具体的な実施形態において、上記複数のオン／オフ時間マスクは、上記上昇過渡期及び上記下降過渡期が上記関連付けられるＴＴＩの範囲内の時間に位置するオン／オフ時間マスク、上記上昇過渡期及び上記下降過渡期が上記関連付けられるＴＴＩの外側の時間に位置するオン／オフ時間マスク、上記上昇過渡期が上記関連付けられるＴＴＩの範囲内の時間に位置し、上記下降過渡期が上記関連付けられるＴＴＩの外側の時間に位置するオン／オフ時間マスク、並びに、上記上昇過渡期が上記関連付けられるＴＴＩの外側の時間に位置し、上記下降過渡期が上記関連付けられるＴＴＩの範囲内の時間に位置するオン／オフ時間マスク、というオン／オフ時間マスクのうちのいずれかを含む。上記複数のオン／オフ時間マスクの各々についての上記関連付けられるＴＴＩは、複数の相前後するＴＴＩを含み得る。構成される上記第１のＴＴＩは、アップリンクＴＴＩ及びダウンリンクＴＴＩのうちの少なくとも一方を含み得る。
【００４１】
具体的な実施形態において、上記第１のオン／オフ時間マスクを決定することは、取得される上記ＴＴＩの長さが閾値未満である場合に、あるオン／オフ時間マスクを決定することと、取得される上記ＴＴＩの上記長さが上記閾値以上である場合に、別のオン／オフ時間マスクを決定することと、を含む。
【００４２】
具体的な実施形態において、上記第１のオン／オフ時間マスクを決定することは、構成される上記ＴＴＩ及びワイヤレス信号の信号タイプに基づいて、上記オン／オフ時間マスクを決定することを含む。いくつかの実施形態において、上記信号タイプは、受信されるべき上記ワイヤレス信号の信号タイプを含む。受信されるべき上記ワイヤレス信号の上記信号タイプがリファレンス信号を含む場合、上記オン／オフ時間マスクを決定することは、上記上昇過渡期及び上記下降過渡期が上記関連付けられるＴＴＩの範囲内の時間に位置するオン／オフ時間マスクを決定することを含み得る。受信されるべき上記ワイヤレス信号の上記信号タイプがユーザデータを含む場合、上記オン／オフ時間マスクを決定することは、上記上昇過渡期及び上記下降過渡期が上記関連付けられるＴＴＩの外側の時間に位置するオン／オフ時間マスクを決定することを含み得る。
【００４３】
具体的な実施形態において、上記信号タイプは、隣接するＴＴＩにおいて受信されるべきワイヤレス信号の信号タイプを含む。隣接するＴＴＩにおいて受信されるべき上記ワイヤレス信号の上記信号タイプがリファレンス信号を含む場合、上記オン／オフ時間マスクを決定することは、上記上昇過渡期及び上記下降過渡期が上記関連付けられるＴＴＩの外側の時間に位置するオン／オフ時間マスクを決定することを含み得る。隣接するＴＴＩにおいて受信されるべき上記ワイヤレス信号の上記信号タイプがユーザデータを含む場合、上記オン／オフ時間マスクを決定することは、上記上昇過渡期及び上記下降過渡期が上記関連付けられるＴＴＩの範囲内の時間に位置するオン／オフ時間マスクを決定することを含み得る。
【００４４】
具体的な実施形態において、上記方法は、上記ＵＥとセルとの間でワイヤレス信号を動作させるための第２のＴＴＩで上記ＵＥを構成することと、上記第２のＴＴＩに基づいて、上記複数のオン／オフ時間マスクから第２のオン／オフ時間マスクを決定することと、決定される上記第２のオン／オフ時間マスクに従って、上記ＵＥから上記第２のワイヤレス信号を受信することと、をさらに含む。
【００４５】
いくつかの実施形態によれば、ネットワークノードは、オン／オフ時間マスクに従ってＵＥからワイヤレス信号を受信することが可能である。上記ネットワークノードはプロセッサを含み、上記プロセッサは、上記ＵＥとセルとの間で第１のワイヤレス信号を動作させるための第１のＴＴＩで上記ＵＥを構成することと、上記第１のＴＴＩに基づいて、複数のオン／オフ時間マスクから第１のオン／オフ時間マスクを決定することと、を行うように動作可能である。上記オン／オフ時間マスクは、関連付けられるＴＴＩを基準とする電力上昇及び下降のための過渡期の長さ及び位置を特定する。上記プロセッサは、決定される上記第１のオン／オフ時間マスクに従って、上記ＵＥから上記第１のワイヤレス信号を受信することを行うようにさらに動作可能である。
【００４６】
具体的な実施形態において、上記複数のオン／オフ時間マスクは、上記上昇過渡期及び上記下降過渡期が上記関連付けられるＴＴＩの範囲内の時間に位置するオン／オフ時間マスク、上記上昇過渡期及び上記下降過渡期が上記関連付けられるＴＴＩの外側の時間に位置するオン／オフ時間マスク、上記上昇過渡期が上記関連付けられるＴＴＩの範囲内の時間に位置し、上記下降過渡期が上記関連付けられるＴＴＩの外側の時間に位置するオン／オフ時間マスク、並びに、上記上昇過渡期が上記関連付けられるＴＴＩの外側の時間に位置し、上記下降過渡期が上記関連付けられるＴＴＩの範囲内の時間に位置するオン／オフ時間マスク、というオン／オフ時間マスクのうちのいずれかを含む。上記複数のオン／オフ時間マスクの各々についての上記関連付けられるＴＴＩは、複数の相前後するＴＴＩを含み得る。構成される上記第１のＴＴＩは、アップリンクＴＴＩ及びダウンリンクＴＴＩのうちの少なくとも一方を含み得る。
【００４７】
具体的な実施形態において、上記プロセッサは、取得される上記ＴＴＩの長さが閾値未満である場合に、あるオン／オフ時間マスクを決定することと、取得される上記ＴＴＩの上記長さが上記閾値以上である場合に、別のオン／オフ時間マスクを決定することと、により、上記第１のオン／オフ時間マスクを決定する、ように動作可能である。いくつかの実施形態において、上記プロセッサは、構成される上記ＴＴＩ及びワイヤレス信号の信号タイプに基づいて、上記オン／オフ時間マスクを決定することにより、上記第１のオン／オフ時間マスクを決定する、ように動作可能である。上記信号タイプは、受信されるべき上記ワイヤレス信号の信号タイプを含み得る。受信されるべき上記ワイヤレス信号の上記信号タイプがリファレンス信号を含む場合、上記プロセッサは、上記上昇過渡期及び上記下降過渡期が上記関連付けられるＴＴＩの範囲内の時間に位置するオン／オフ時間マスクを決定することにより、上記オン／オフ時間マスクを決定する、ように動作可能であり得る。受信されるべき上記ワイヤレス信号の上記信号タイプがユーザデータを含む場合、上記プロセッサは、上記上昇過渡期及び上記下降過渡期が上記関連付けられるＴＴＩの外側の時間に位置するオン／オフ時間マスクを決定することにより、上記オン／オフ時間マスクを決定する、ように動作可能であり得る。
【００４８】
具体的な実施形態において、上記信号タイプは、隣接するＴＴＩにおいて受信されるべきワイヤレス信号の信号タイプを含む。隣接するＴＴＩにおいて受信されるべき上記ワイヤレス信号の上記信号タイプがリファレンス信号を含む場合、上記プロセッサは、上記上昇過渡期及び上記下降過渡期が上記関連付けられるＴＴＩの外側の時間に位置するオン／オフ時間マスクを決定することにより、上記オン／オフ時間マスクを決定する、ように動作可能であり得る。隣接するＴＴＩにおいて受信されるべき上記ワイヤレス信号の上記信号タイプがユーザデータを含む場合、上記プロセッサは、上記上昇過渡期及び上記下降過渡期が上記関連付けられるＴＴＩの範囲内の時間に位置するオン／オフ時間マスクを決定することにより、上記オン／オフ時間マスクを決定する、ように動作可能であり得る。
【００４９】
具体的な実施形態において、上記プロセッサは、上記ＵＥとセルとの間でワイヤレス信号を動作させるための第２のＴＴＩで上記ＵＥを構成し、上記第２のＴＴＩに基づいて、上記複数のオン／オフ時間マスクから第２のオン／オフ時間マスクを決定し、決定される上記第２のオン／オフ時間マスクに従って、上記ＵＥから上記第２のワイヤレス信号を受信する、ようにさらに動作可能である。
【００５０】
いくつかの実施形態によれば、ＵＥは、オン／オフ時間マスクに従ってワイヤレス信号を送信することが可能である。上記ＵＥは、構成モジュール、決定モジュール、及び受信モジュールを含む。上記取得モジュールは、上記ＵＥとセルとの間で第１のワイヤレス信号を動作させるための第１のＴＴＩを取得する、ように動作可能である。上記決定モジュールは、取得される上記第１のＴＴＩに基づいて、複数のオン／オフ時間マスクから第１のオン／オフ時間マスクを決定する、ように動作可能である。上記オン／オフ時間マスクは、関連付けられるＴＴＩを基準とする電力上昇及び下降のための過渡期の長さ及び位置を特定する。上記送信モジュールは、決定される上記第１のオン／オフ時間マスクに従って、上記セル内で上記第１のワイヤレス信号を送信する、ように動作可能である。
【００５１】
いくつかの実施形態によれば、ネットワークノードは、オン／オフ時間マスクに従ってＵＥからワイヤレス信号を受信することが可能である。上記ネットワークノードは、構成モジュール、決定モジュール、及び受信モジュールを含む。上記構成モジュールは、上記ＵＥとセルとの間で第１のワイヤレス信号を動作させるための第１のＴＴＩで上記ＵＥを構成する、ように動作可能である。上記決定モジュールは、上記第１のＴＴＩに基づいて、複数のオン／オフ時間マスクから第１のオン／オフ時間マスクを決定する、ように動作可能である。上記オン／オフ時間マスクは、関連付けられるＴＴＩを基準とする電力上昇及び下降のための過渡期の長さ及び位置を特定する。上記受信モジュールは、決定される上記第１のオン／オフ時間マスクに従って、上記ＵＥから上記第１のワイヤレス信号を受信する、ように動作可能である。
【００５２】
また、コンピュータプログラムプロダクトも開示されている。当該コンピュータプログラムプロダクトは、プロセッサにより実行されると、ＵＥとセルとの間で第１のワイヤレス信号を動作させるための第１のＴＴＩを取得するステップと、取得される当該第１のＴＴＩに基づいて、複数のオン／オフ時間マスクから第１のオン／オフ時間マスクを決定するステップと、決定される当該第１のオン／オフ時間マスクに従って、当該セル内で当該第１のワイヤレス信号を送信するステップと、を行う、非一時的なコンピュータ読取可能な媒体に記憶される命令群を含む。
【００５３】
別のコンピュータプログラムプロダクトは、プロセッサにより実行されると、ＵＥとセルとの間で第１のワイヤレス信号を動作させるための第１のＴＴＩで当該ＵＥを構成するステップと、当該第１のＴＴＩに基づいて、複数のオン／オフ時間マスクから第１のオン／オフ時間マスクを決定するステップと、決定される当該第１のオン／オフ時間マスクに従って、当該ＵＥから当該第１のワイヤレス信号を受信するステップと、を行う、非一時的なコンピュータ読取可能な媒体に記憶される命令群を含む。
【００５４】
ある実施形態は、従来のアプローチに比べ、次のような様々な利益を提供し得る。オン／オフ時間マスクに関するＵＥの振る舞いが、種々のＴＴＩパターンについて良好に定義され得る。相前後するＴＴＩにおいて異なるＴＴＩパターンが使用され及びそれら相前後するＴＴＩにおいてリソースがＵＥへ割り当てられ得る場合に、オン／オフ時間マスクに関するＵＥの振る舞いが良好に定義され得る。相前後するＴＴＩにおいて異なるＴＴＩパターンが使用され及びそれら相前後するＴＴＩにおいて（図４に示されるような、４−ＯＳ  ＴＴＩの配列のように）重複するリソースがＵＥへ割り当てられ得る場合に、オン／オフ時間マスク基準とするＵＥの振る舞いが良好に定義され得る。ある実施形態は、説明した利点を全く有しなくてもよく、又はそれら利点のいくつか若しくは全てを有してもよい。
【図面の簡単な説明】
【００５５】
実施形態、並びに、それらの特徴及び利点をより完全に理解するために、以下の図を含む添付の図面と組み合わせて、次に、以下の説明を参照する。
【００５６】
【図１】例示的なダウンリンク無線サブフレームを示す。
【図２】例示的な無線フレームを示す。
【図３】７−シンボルＴＴＩの一例を示す。
【図４】４−シンボルＴＴＩの一例を示す。
【図５】アップリンクについてのショートＴＴＩの例を示す。
【図６】例示的なオン／オフ時間マスクを示す。
【図７】電力の上昇過渡期及び下降過渡期についての３つの例示的な時間的位置を示す。
【図８】具体的な実施形態に係る、例示的なワイヤレスネットワークを示すブロック図である。
【図９】いくつかの実施形態に係る、ユーザ機器における例示的な方法のフロー図である。
【図１０Ａ】いくつかの実施形態に係る、関連付けられるＴＴＩの範囲内の時間に上昇過渡期及び下降過渡期が位置するオン／オフ時間マスクを示すタイミング図である。
【図１０Ｂ】いくつかの実施形態に係る、関連付けられるＴＴＩの外側の時間に上昇過渡期及び下降過渡期が位置するオン／オフ時間マスクを示すタイミング図である。
【図１１Ａ】いくつかの実施形態に係る、２つ以上の相前後するＴＴＩについて使用される例示的なオン／オフ時間マスクを示すタイミング図である。
【図１１Ｂ】いくつかの実施形態に係る、２つ以上の相前後するＴＴＩについて使用される例示的なオン／オフ時間マスクを示すタイミング図である。
【図１１Ｃ】いくつかの実施形態に係る、２つ以上の相前後するＴＴＩについて使用される例示的なオン／オフ時間マスクを示すタイミング図である。
【図１２Ａ】いくつかの実施形態に係る、相前後するＴＴＩについて使用されるオン／オフ時間マスクの別の例を示すタイミング図である。
【図１２Ｂ】いくつかの実施形態に係る、相前後するＴＴＩについて使用されるオン／オフ時間マスクの別の例を示すタイミング図である。
【図１３】いくつかの実施形態に係る、連続し且つ重複するＴＴＩについて使用されるオン／オフ時間マスクの一例を示すタイミング図である。
【図１４】いくつかの実施形態に係る、ネットワークノードにおける例示的な方法のフロー図である。
【図１５Ａ】ワイヤレス通信デバイスの例示的な一実施形態を示すブロック図である。
【図１５Ｂ】ワイヤレス通信デバイスの例示的なコンポーネントを示すブロック図である。
【図１６Ａ】無線アクセスノードの例示的な一実施形態を示すブロック図である。
【図１６Ｂ】無線アクセスノードの例示的なコンポーネントを示すブロック図である。
【図１７】いくつかの実施形態に係る、無線アクセスノードの仮想化された一例を示すブロック図である。
【発明を実施するための形態】
【００５７】
３ＧＰＰ（Third  Generation  Partnership  Project）ＬＴＥ（Long  Term  Evolution）について、パケットデータレイテンシは、システムの、知覚される応答性にとって重要であるだけではなく、システムのスループットに間接的に影響を及ぼすパラメータでもある。レイテンシの短縮は、無線リソース効率を改善し得る。パケットレイテンシ短縮の１つの態様が、送信時間インターバル（ＴＴＩ）長を変更することによる、データ及び制御シグナリングのトランスポート時間の短縮である。これまでのＬＴＥリリースにおいて、ＴＴＩは、１ミリ秒の長さの１つのサブフレーム（ＳＦ）に相当する。より新たなＬＴＥリリースは、１ミリ秒よりも短いＴＴＩを用いた送信を仕様化し得る。例えば、ショートＴＴＩの時間長は、０．５ｍｓ（即ち、通常サイクリックプレフィクスのケースについては、７個の直交周波数分割多重（ＯＦＤＭ）シンボル又はシングルキャリア周波数分割多重（ＳＣ−ＦＤＭＡ）シンボル）であり得る。別の例として、ショートＴＴＩの時間長は、２個のシンボル又は４個のシンボルであり得る。
【００５８】
これまでのＬＴＥ仕様において、オン／オフ時間マスクは、１ｍｓのＴＴＩ時間長向けに定義されている。過渡期は２０μｓと定義されており、これは、１ｍｓのＴＴＩ時間長に比べて小さい。しかしながら、より新たなＬＴＥ仕様における、より短いＴＴＩ長（例えば、１４−ＯＳ又は１ｍｓに比べて２−ＯＳ）を用いると、この過渡期がＴＴＩ時間長との対比において有意なものになる恐れがある。この問題は、２つの相前後するＴＴＩにおいてユーザ機器（ＵＥ）に割り当てが行われる場合に顕著になる恐れがある。そのケースでは、レガシーマスクにより、ＴＴＩ時間長の大部分の逸失を引き起こす恐れがある。具体的な実施形態は、ショートＴＴＩで構成されるＵＥによる信号の送信に関連する動作を向上させ得る。
【００５９】
いくつかの実施形態によれば、ＵＥは、オン／オフ時間マスクに従ってワイヤレス信号を送信することが可能である。オン／オフ時間マスクは、関連付けられるＴＴＩを基準とする電力上昇及び下降のための過渡期の長さ及び位置を特定する。ＵＥは、上記ＵＥとセルとの間でワイヤレス信号を動作させるためのＴＴＩを取得する、ように動作可能である。ＵＥは、取得されるＴＴＩに基づいて、複数のオン／オフ時間マスクから第１のオン／オフ時間マスクを決定し、決定される上記オン／オフ時間マスクに従って、上記セル内で上記ワイヤレス信号を送信する。ネットワークノードは、オン／オフ時間マスクに従ってＵＥからワイヤレス信号を受信することが可能である。ネットワークノードは、上記ＵＥとセルとの間でワイヤレス信号を動作させるためのＴＴＩで上記ＵＥを構成する、ように動作可能である。ネットワークノードは、ＴＴＩに基づいて、複数のオン／オフ時間マスクから第１のオン／オフ時間マスクを決定し、決定される上記オン／オフ時間マスクに従って、上記ＵＥから上記ワイヤレス信号を受信する。
【００６０】
以下の説明は、開示される主題の様々な実施形態を提示する。これらの実施形態は、教示例として提示されており、開示される主題のスコープを限定するものと解釈されるべきではない。例えば、説明される実施形態のある詳細が、開示される主題のスコープから逸脱することなく、修正され、省略され、又は拡張されてもよい。
【００６１】
以降の説明において、「第１のノード」及び「第２のノード」といった用語が、ライセンス済みの又は未ライセンスのスペクトル（又は、ある種の共有レギュレーションに基づいて２つ以上のシステムが動作する共有スペクトル）において、送信又は受信のいずれかを行っている２つのノードについて言及するために使用され得る。第１のノードの一例には、ネットワークノードが含まれ、これは、任意のタイプの無線ネットワークノード又は任意のネットワークノードに相当する包括的な用語であってよく、当該ネットワークノードは、ＵＥ及び／又は別のネットワークノードと通信する。ネットワークノードの例には、ＮｏｄｅＢ、基地局（ＢＳ）、マルチ標準無線（ＭＳＲ）ＢＳといったＭＳＲ無線ノード、ｅＮｏｄｅＢ、ｇＮｏｄｅＢ。ＭｅＮＢ、ＳｅＮＢ、ネットワークコントローラ、無線ネットワークコントローラ（ＲＮＣ）、基地局コントローラ（ＢＳＣ）、中継機、中継機を制御するドナーノード、基地送受信局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（例えば、ＭＳＣ、ＭＭＥなど）、Ｏ＆Ｍ、ＯＳＳ、ＳＯＮ、測位ノード（例えば、Ｅ−ＳＭＬＣ）、ＭＤＴなどが含まれる。
【００６２】
ノードの別の例にはユーザ機器が含まれ、これは、セルラー通信システム又はモバイル通信システムにおいてネットワークノード及び／又は別のＵＥと通信する任意のタイプのワイヤレスデバイスについて言及する、非限定的な用語である。ＵＥの例には、ターゲットデバイス、デバイスツーデバイス（Ｄ２Ｄ）ＵＥ、マシンタイプＵＥ又はマシンツーマシン（Ｍ２Ｍ）通信が可能なＵＥ、ＰＤＡ、ｉＰＡＤ、タブレット、モバイル端末、スマートフォン、ラップトップ組込型機器（ＬＥＥ）、ラップトップ搭載型機器（ＬＭＥ）、ＵＳＢドングルなどが含まれる。
【００６３】
いくつかの実施形態は、「無線ネットワークノード」又は単に「ネットワークノード（ＮＷノード）」といった総称的な専門用語について言及しており、これは、基地局、無線基地局、基地送受信局、基地局コントローラ、ネットワークコントローラ、発展型ノードＢ（ｅＮＢ）、ノードＢ、中継ノード、アクセスポイント、無線アクセスポイント、遠隔無線ユニット（ＲＲＵ）、遠隔無線ヘッド（ＲＲＨ）などといった、任意の種類のネットワークノードであり得る。
【００６４】
この説明では、上述のノードのいずれかが、「第１のノード」及び／又は「第２のノード」になってよい。
【００６５】
ＵＥは、キャリアアグリゲーション（ＣＡ）において動作するように構成され得る。ＣＡは、ダウンリンク方向及びアップリンク方向のうちの少なくとも一方における２つ以上のキャリアの統合（aggregation）を含む。ＣＡを用いると、ＵＥは、複数個のサービングセルを有することができ、ここでの「サービング」という用語は、ＵＥが、対応するサービングセルを用いて構成されていること、並びに、当該サービングセル上（例えば、ＰＣｅｌｌ上若しくはいずれかのＳＣｅｌｌ上）でネットワークノードからデータを受信し得ること及び／又はネットワークノードへデータを送信し得ること、を意味する。このデータは、物理チャネル（例えば、ダウンリンクにおいてＰＤＳＣＨ、アップリンクにおいてＰＵＳＣＨなど）を介して送信され又は受信される。
【００６６】
コンポーネントキャリア（ＣＣ）は、キャリア、プライマリコンポーネントキャリア（ＰＣＣ）、又はセカンダリコンポーネントキャリア（ＳＣＣ）としても言及され、ネットワークノードがより上位レイヤのシグナリングを使用することにより（例えば、無線リソース制御（ＲＲＣ）構成メッセージをＵＥへ送信することにより）、ＵＥにおいて構成され得る。構成済みのＣＣは、当該構成済みのＣＣのサービングセル上（例えば、ＰＣｅｌｌ、ＰＳＣｅｌｌ、ＳＣｅｌｌなどの上）でＵＥにサービスするために、ネットワークノードによって使用される。構成済みのＣＣは、当該ＣＣ上で動作するセル（例えば、ＰＣｅｌｌ、ＳＣｅｌｌ、又は、ＰＳＣｅｌｌ及び近隣セル）上で１つ以上の無線測定（例えば、ＲＳＲＰ、ＲＳＲＱなど）を行うために、ＵＥによっても使用される。
【００６７】
「フォールバックモード」という用語は、ここで、ＵＥによりサポートされるＣＡコンビネーションにおける最大数のＣＣよりも少ないＣＣを含むＣＡ構成をいう。例えば、４個のダウンリンクＣＣ及び１個のアップリンクＣＣという最大ＣＡ構成を有するＣＡコンビネーションをサポートするＵＥは、以下の３つのフォールバックモード、即ち、３個のダウンリンクＣＣ及び１個のアップリンクＣＣ、２個のダウンリンクＣＣ及び１個のアップリンクＣＣ、並びに、１個のダウンリンクＣＣ及び１個のアップリンクＣＣ（即ち、シングルキャリア動作）、をサポートし得る。フォールバックという用語は、より低次のＣＡコンビネーション、より低次のＣＡ構成、フォールバックＣＡモード、フォールバックＣＡ構成モード、又はフォールバックＣＡコンビネーションとしても言及され得る。
【００６８】
無線アクセス技術又はＲＡＴという用語は、ＵＴＲＡ、Ｅ−ＵＴＲＡ、狭帯域ＩｏＴ（internet  of  things）（ＮＢ−ＩｏＴ）、ＷｉＦｉ、ブルートゥース、次世代ＲＡＴ（ＮＲ）、４Ｇ、５Ｇなどといった、任意のＲＡＴへの言及であってよい。第１のノード及び第２のノードのいずれも、単一の又は複数個のＲＡＴをサポートすることが可能であってよい。
【００６９】
ここで使用される「信号」という用語は、いかなる物理的な信号又は物理的なチャネルであってもよい。物理的な信号の例は、ＰＳＳ、ＳＳＳ、ＣＲＳ、ＰＲＳなどといったリファレンス信号である。ここで使用される（例えば、チャネル受信のコンテキストにおける）「物理チャネル」という用語は、「チャネル」としても言及される。物理チャネルの例には、ＭＩＢ、ＰＢＣＨ、ＮＰＢＣＨ、ＰＤＣＣＨ、ＰＤＳＣＨ、ｓＰＵＣＣＨ、ｓＰＤＳＣＨ。ｓＰＵＣＣＨ。ｓＰＵＳＣＨ、ＭＰＤＣＣＨ、ＮＰＤＣＣＨ、ＮＰＤＳＣＨ、Ｅ−ＰＤＣＣＨ、ＰＵＳＣＨ、ＰＵＣＣＨ、ＮＰＵＳＣＨなどが含まれる。
【００７０】
ここで使用される「時間リソース」という用語は、時間長の観点から表現される、いかなる種類の物理リソース又は無線リソースに相当してもよい。時間リソースの例には、シンボル、時間スロット、サブフレーム、無線フレーム、ＴＴＩ、インターリービング時間などが含まれる。
【００７１】
ここで使用される「ＴＴＩ」という用語は、その間にわたり物理チャネルが送信のために符号化され及びオプションとしてインターリーブされることが可能な、いかなる時間ピリオド（Ｔ０）に相当してもよい。物理チャネルは、符号化に掛かったものと同じ時間ピリオド（Ｔ０）を経て受信機により復号される。ＴＴＩは、ショートＴＴＩ（ｓＴＴＩ）、送信時間、スロット、サブスロット、ミニスロット、ショートサブフレーム（ＳＳＦ）、ミニサブフレームなどとも、互換可能に呼ばれ得る。
【００７２】
ここで使用される「無線測定」と言う用語は、無線信号又はチャネルを受信することに基づくいかなる測定への言及であってもよい。例えば、受信信号強度（例えば、ＲＳＲＰ又はＣＳＩ−ＲＳＲＰ）といった電力ベースの測定又は品質測定（例えば、ＲＳＲＱ、ＲＳ−ＳＩＮＲ、ＳＩＮＲ、Ｅｓ／Ｉｏｔ、ＳＮＲ）；セル識別；同期信号測定；到来角（ＡＯＡ）といった角度の測定；Ｒｘ−Ｔｘ、ＲＴＴ、ＲＳＴＤ、ＴＯＡ、ＴＤＯＡ、タイミングアドバンスといったタイミング測定；スループット測定；及び、ＣＳＩ、ＣＱＩ、ＰＭＩ、チャネル測定（例えば、ＭＩＢ、ＳＩＢ、ＳＩ、ＣＧＩの取得など）といったチャネル品質測定への言及であってもよい。測定は、絶対的なものであってもよく、共通の基準若しくは別の測定に対する相対的なものであってもよく、複合的な測定などであってもよい。測定は、１つのリンク上での測定又は２つ以上のリンク上での測定（例えば、ＲＳＴＤ、タイミングアドバンス、ＲＴＴ、相対ＲＳＲＰなど）であってよい。測定は、目的で区別されてもよく、１つ以上の目的のために、例えば、ＲＲＭ、ＭＤＴ、ＳＯＮ、測位、タイミング制御又はタイミングアドバンス、同期、のうちの１つ以上のために行われてよい。非限定的な一例において、具体的な実施形態は、上述したものなどいかなる測定に適用されてもよい。ここでの「無線測定」という用語が、より広義において、例えば、チャネルの受信（例えば、ブロードキャストチャネル又はマルチキャストチャネルを介したシステム情報の受信）において使用されてもよい。
【００７３】
ここで使用される「要件」という用語は、測定要件、ＲＲＭ要件、モビリティ要件、測位測定要件などといったＵＥ測定に関する、いかなるタイプのＵＥ要件を含んでもよい。ＵＥ測定に関するＵＥ要件の例は、測定時間、測定報告時間又は遅延、測定精度（例えば、ＲＳＲＰ／ＲＳＲＱ精度）、測定時間にわたって測定されるべきセルの数などである。測定時間の例には、Ｌ１測定ピリオド、セル識別時間又はセル探索遅延、ＣＧＩ取得遅延などが含まれる。
【００７４】
以下の説明は、多数の具体的な詳細を明記する。しかしながら、理解されることとして、それら具体的な詳細を用いずに実施形態が実践されてもよい。他の例では、この説明の理解を不明瞭にしないために、よく知られている回路、構造、及び技法は詳細には示されていない。当業者は、含まれるこれらの説明を用いると、過度の実験を行わずとも適正な機能性を実装することができるであろう。
【００７５】
本明細書における、「１つの実施形態」、「一実施形態」、「例示的な一実施形態」などについての言及は、説明される実施形態が特定の特徴、構造、又は特性を含み得るものの、各実施形態が当該特定の特徴、構造、又は特性を必ずしも含むとは限らないかもしれないことを示す。また、このような語句は、必ずしも同じ実施形態への言及であるとは限らない。さらに、特定の特徴、構造、又は特性が一実施形態に関連付けて記述される場合、示唆されることとして、このような特徴、構造、又は特性を、明示的に記述されているか否かに関わらず、他の実施形態に関連付けて実装することは、当業者の知識の範囲内である。
【００７６】
概して、ここで使用される全ての用語は、ここで別段の明示的な定義の無い限り、本技術分野における、それらの通常の意味に従って解釈されるべきである。「ある／この要素、装置、コンポーネント、手段、ステップなど」への全ての言及は、別段明示的な記述の無い限り、その要素、装置、コンポーネント、手段、ステップなどの少なくとも１つの実例への言及として、オープンに解釈されるべきである。ここに開示されるいずれの方法のステップも、明示的に述べられていない限り、開示される厳密な順序で実行されなくてよい。
【００７７】
図面のうち図８〜図１７を参照しながら、具体的な実施形態が説明され、それら図面の類似の及び対応する部分について類似の番号が使用される。この開示の全体にわたり、ＬＴＥ及びＮＲが例示的なセルラーシステムとして使用されているが、ここに提示されるアイディアは、他のワイヤレス通信システムにも適用されてよい。
【００７８】
説明される実施形態は、任意の適切な通信規格をサポートし及び任意の適切なコンポーネントを使用する、いかなる適正なタイプの通信システムにおいて実現されてもよい。１つの例として、ある実施形態は、図８に例示されているものなどの通信システムにおいて実現され得る。「セル」という用語への言及がなされ得るが、説明される概念は、例えば、第５世代（５Ｇ）のシステムで使用されるビームといった他の文脈にも当てはまり得る。
【００７９】
図８は、具体的な実施形態に係る、例示的なワイヤレスネットワークを示すブロック図である。通信システム１１００は、複数のワイヤレス通信デバイス１１０５（例えば、ＵＥ、マシンタイプ通信（ＭＴＣ）／マシンツーマシン（Ｍ２Ｍ）ＵＥ）、及び、複数の無線アクセスノード１１１０（例えば、ｅＮｏｄｅＢ、ｇＮｏｄｅＢ、又はその他の基地局）を含む。通信システム１１００は、複数のセル１１１５へと編成され、これらのセルは、対応する無線アクセスノード１１１０を介してコアネットワーク１１２０へ接続される。無線アクセスノード１１１０は、ワイヤレス通信デバイス１０５との通信を、ワイヤレス通信デバイス間、又は、ワイヤレス通信デバイスと（固定電話といった）別の通信デバイスとの間、の通信をサポートするのに適した任意の付加的な要素と協働して行うことが可能である。
【００８０】
概して、無線アクセスノード１１１０のカバレッジ内（例えば、無線アクセスノード１１１０によりサービスされるセル１１１５内）にあるワイヤレス通信デバイス１１０５は、ワイヤレス信号を送信し及び受信することにより、無線アクセスノード１１１０と通信する。例えば、ワイヤレス通信デバイス１１０５及び無線アクセスノード１１１０は、音声トラフィック、データトラフィック（例えば、ブロードキャスト映像）、及び／又は、制御信号を含むワイヤレス信号を通信し得る。音声トラフィック、データトラフィック、及び／又は制御信号をワイヤレス通信デバイス１１０５へ通信する無線アクセスノード１１１０は、ワイヤレス通信デバイス１１０５についてのサービングネットワークノード１１１０として言及され得る。ワイヤレス信号は、（無線アクセスノード１１１０からワイヤレス通信デバイス１１０５への）ダウンリンク送信信号及び（ワイヤレス通信デバイス１１０５から無線アクセスノード１１１０への）アップリンク送信信号の双方を含み得る。
【００８１】
いくつかの実施形態において、ワイヤレス通信デバイス１１０５は、「ＵＥ」という非限定的な用語により言及され得る。ＵＥは、ネットワークノード又は別のＵＥと無線信号によって通信することが可能な、任意のタイプのワイヤレスデバイスを含み得る。ＵＥには、無線通信デバイス、ターゲットデバイス、デバイスツーデバイス（Ｄ２Ｄ）ＵＥ、マシンタイプＵＥ又はマシンツーマシン通信（Ｍ２Ｍ）が可能なＵＥ、ＵＥ組込型センサ、ｉＰＡＤ、タブレット、モバイル端末、スマートフォン、ラップトップ組込型機器（ＬＥＥ）、ラップトップ搭載型機器（ＬＭＥ）、ＵＳＢドングル、顧客構内機器（ＣＰＥ）などが含まれ得る。
【００８２】
いくつかの実施形態において、無線アクセスノード１１１０は、基地局、無線基地局、基地送受信局、基地局コントローラ、ネットワークコントローラ、発展型ノードＢ（ｅＮＢ）、ｇＮＢ、ノードＢ、マルチＲＡＴ基地局、マルチセル／マルチキャスト協調エンティティ（ＭＣＥ）、中継ノード、アクセスポイント、無線アクセスポイント、遠隔無線ユニット（ＲＲＵ）、遠隔無線ヘッド（ＲＲＨ）、コアネットワークノード（例えば、ＭＭＥ、ＳＯＮノード、協調ノードなど）、又は、外部ノード（例えば、サードパーティーノード、本ネットワークに対する外部ノード）などでさえあってよい、任意のタイプのネットワークノードを含み得る。
【００８３】
通信システム１１００は、多様な長さのＴＴＩ（例えば、１ｍｓのＴＴＩ、又は、２−ｏｓ、４−ｏｓ、７−ｏｓなどのショートＴＴＩ、又は、任意の組み合わせ）を含み得る。具体的な実施形態において、通信システム１１００は、ダウンリンク及びアップリンクにおいて、異なるＴＴＩを含んでもよい。
【００８４】
ワイヤレス通信デバイス１１０５は、オン／オフ時間マスクに従ってワイヤレス信号を送信し得る。ワイヤレス通信デバイス１１０５は、ワイヤレス通信デバイス１１０５とセル１１５との間でワイヤレス信号を動作させるためのＴＴＩを取得し、取得されるＴＴＩに基づいて、複数のオン／オフ時間マスクからあるオン／オフ時間マスクを決定し得る。オン／オフ時間マスクは、関連付けられるＴＴＩを基準とする電力上昇及び下降のための過渡期の長さ及び位置を特定する。ワイヤレス通信デバイス１１０５は、決定されるオン／オフ時間マスクに従って、セル１１１５内でワイヤレス信号を送信する、ように動作可能である。付加的な詳細を、より掘り下げて以下に記述する。
【００８５】
無線アクセスノード１１１０は、オン／オフ時間マスクに従ってワイヤレス通信デバイス１１０５からワイヤレス信号を受信し得る。無線アクセスノード１１１０は、ワイヤレス通信デバイス１１０５とセル１１１５との間でワイヤレス信号を動作させるためのＴＴＩでワイヤレス通信デバイス１１０５を構成し、このＴＴＩに基づいて、複数のオン／オフ時間マスクからあるオン／オフ時間マスクを決定し得る。無線アクセスノード１１１０は、決定される第１のオン／オフ時間マスクに従って、ワイヤレス通信デバイス１１０５から第１のワイヤレス信号を受信し得る。付加的な詳細を、以下により掘り下げて記述する。
【００８６】
通信システム１１００は、キャリアアグリゲーションを含み得る。例えば、ワイヤレス通信デバイス１１０５は、２つの無線アクセスノード１１１０の双方又はより多くによってサービスされてもよく、２つ以上の無線アクセスノード１１１０とワイヤレス信号を通信してもよい。
【００８７】
各無線アクセスノード１１１０は、ワイヤレス信号をワイヤレス通信デバイス１１０５へ送信するために、単一の送信機又は複数個の送信機を有し得る。いくつかの実施形態において、無線アクセスノード１１１０は、複数入力複数出力（ＭＩＭＯ）システムを含み得る。同様に、各ワイヤレス通信デバイス１１０５は、無線アクセスノード１１１０から信号を受信するために、単一の受信機又は複数個の受信機を有し得る。
【００８８】
通信システム１１００において、各無線アクセスノード１１１０は、ＬＴＥ（long  term  evolution）、ＬＴＥアドバンスト、ＮＲ、ＵＭＴＳ、ＨＳＰＡ、ＧＳＭ、ｃｄｍａ２０００、ＷｉＭａｘ、ＷｉＦｉといった任意の適切な無線アクセス技術、及び／又は、その他の適切な無線アクセス技術を使用し得る。通信システム１１００は、１つ以上の無線アクセス技術の任意の適切な組み合わせを含み得る。例として、様々な実施形態が、ある無線アクセス技術の文脈で説明され得る。しかしながら、本開示のスコープは、それら例に限定されず、他の実施形態が別の無線アクセス技術を使用してもよい。
【００８９】
ワイヤレス通信デバイス１１０５は、ハードウェア及び／又はソフトウェアの任意の適切な組み合わせを含む通信デバイスを表し得るものの、これらのワイヤレス通信デバイスは、ある実施形態において、図１５Ａ及び図１５Ｂによって一段と詳細に示されているもののようなデバイスを表し得る。同様に、示されている無線アクセスノードは、ハードウェア及び／又はソフトウェアの任意の適切な組み合わせを含むネットワークノードを表し得るものの、これらのノードは、具体的な実施形態において、図１６Ａ、図１６Ｂ、及び図１７によって一段と詳細に示されているもののようなデバイスを表し得る。
【００９０】
ある実施形態の説明では、キャリアアグリゲーションが考慮される複数の箇所で、２つのセル（又は、２つのＴＴＩ若しくは２つのキャリア）への言及がなされる。関連する実施形態は、別段の記述の無い限り、３つ以上のＴＴＩ（又は、セル若しくはキャリア）を包含するキャリアアグリゲーションの組み合わせに適用可能である。キャリアは、インター帯域キャリア、イントラ帯域キャリア、又は、イントラ帯域キャリア及びインター帯域キャリアの混成であり得る。
【００９１】
とりわけ、以下は、異なる複数のＴＴＩパターンと、同一セル内で１ＵＥについて異なる複数のＴＴＩパターンを使用可能である場合にオン／オフ時間マスクを決定するＵＥにおける方法と、同一セル内で１ＵＥについて異なる複数のＴＴＩパターンを使用可能である場合にオン／オフ時間マスクを決定するネットワークノードにおける方法と、を包含するシナリオの説明を含む。
【００９２】
異なる複数のＴＴＩパターンを包含するいくつかのシナリオは、以下のものを含む。１つのシナリオは、シングルキャリア動作としても言及される、ＵＥが少なくとも１つのサービングセル（例えば、ＰＣｅｌｌ）を用いて構成されること、を含む。ＵＥは、少なくとも２つの異なるＴＴＩ（例えば、１ｍｓのＴＴＩ及び２−ＯＳのＴＴＩなど）を使用することが可能である。ＵＥは、サービングセル内で１つの時間リソースにおいて当該ＵＥによりサポートされる複数のＴＴＩのうちのいずれか１つを用いて構成されることが可能である。ＵＥはさらに、ＴＴＩがサービングセル内で経時的に変更される動作をサポートすることが可能であってよい。ＵＥは、サービングセルのアップリンク及びダウンリンクで異なるＴＴＩを使用する動作をサポートすることも可能である。いくつかのシナリオの例が以下の表１に記述されている。
【００９３】
【表１】
2019537885.tif 000003
【００９４】
いくつかのシナリオは、キャリアアグリゲーション又はマルチキャリア動作としても言及される、ＵＥが少なくとも２つのサービングセル（例えば、ＰＣｅｌｌ及びＳＣｅｌｌなど）を用いて構成されること、を含み得る。ＵＥは、少なくとも２つの異なるＴＴＩ（例えば、１ｍｓのＴＴＩ及び２−ＯＳのＴＴＩなど）を使用することが可能である。ＵＥは、異なるサービングセル内で当該ＵＥによりサポートされる複数のＴＴＩのうちのいずれか１つを用いて構成されることが可能である（例えば、ＰＣｅｌｌ及びＳＣｅｌｌの双方の上での動作についてＴＴＩ＝１、又は、ＰＣｅｌｌ及びＳＣｅｌｌの双方の上での動作についてＴＴＩ＝２−ＯＳ）。ＵＥは、異なるサービングセル内で異なるＴＴＩで構成されることも可能である（例えば、ＰＣｅｌｌ及びＳＣｅｌｌの上での動作について、それぞれＴＴＩ＝１及びＴＴＩ＝７−ＯＳ）。
【００９５】
ＵＥは、当該ＵＥの１つ以上のサービングセル内で経時的にＴＴＩを変更することもサポートし得る。ＵＥは、自身のサービングセルのうちのいずれか１つ以上のアップリンク及びダウンリンクにおいて、異なるＴＴＩを使用して動作し得る。マルチキャリア動作を含むいくつかのシナリオの一例が以下の表２に記述されている。
【００９６】
【表２】
2019537885.tif 000004
【００９７】
ユーザ機器における方法は、以下の包括的なステップを含む。ステップ−１：第１のキャリア（Ｆ１）上で第１のセル（ｃｅｌｌ１）とＵＥとの間で第１の信号（Ｓ１）を動作させるために使用される第１のＴＴＩ（ＴＴＩ１）を、（予め定義されたルールに基づいて、又は、ネットワークノード若しくは別のＵＥから受信することで）取得すること、若しくは、決定すること、及び／又は、第２のキャリア（Ｆ２）上の第２のセル（ｃｅｌｌ２）とＵＥとの間で第２の信号（Ｓ２）を動作させるために使用される第２のＴＴＩ（ＴＴＩ２）を、（予め定義されたルールに基づいて、又は、ネットワークノード若しくは別のＵＥから受信することで）取得すること、若しくは、決定すること。ステップ−２：ＴＴＩ１及びＴＴＩ２の決定される値に基づいて、第１のＴＴＩ１に関連付けられる第１のタイプのオン／オフ時間マスク（ｍａｓｋ１）、及び／又は、第２のＴＴＩ２に関連付けられる第２のタイプのオン／オフ時間マスク（ｍａｓｋ２）を決定すること。ステップ−３：決定されるオン／オフ時間マスク（ｍａｓｋ１及びｍａｓｋ２）に基づいて、ｃｅｌｌ１及び／又はｃｅｌｌ２へ信号（Ｓ１及び／又はＳ２）をそれぞれ送信すること。図９に、例示的な方法が示されている。
【００９８】
図９は、いくつかの実施形態に係る、ユーザ機器における例示的な方法のフロー図である。この方法は、オン／オフ時間マスクに従ってワイヤレス信号を送信することを含む。具体的な実施形態において、方法９００の１つ以上のステップは、図８を参照して説明した通信システム１１００のワイヤレス通信デバイス１１０５により行われ得る。
【００９９】
具体的な実施形態において、ＵＥは、アップリンクにおいて少なくとも１つのサービングセルを用いて構成される。サービングセルは、ｃｅｌｌ１又はｃｅｌｌ２であり得る。いくつかの実施形態において、ｃｅｌｌ１及びｃｅｌｌ２は、単一のサービングセルのケースにおいて同じであり得る。いくつかの実施形態において、ｃｅｌｌ１及びｃｅｌｌ２は、２つのサービングセルのケースケースにおいて、相違し得る。例えば、いくつかの実施形態において、ｃｅｌｌ１及びｃｅｌｌ２はそれぞれ、ＰＣｅｌｌ及びＳＣｅｌｌに相当してもよく、又は、ｃｅｌｌ１及びｃｅｌｌ２はそれぞれ、ＳＣｅｌｌ及びＰＣｅｌｌに相当してもよい。便宜上、少なくとも１つのサービングセル（例えば、ｃｅｌｌ１）内での動作のために使用されるＴＴＩ１又はＴＴＩ２の決定される値に基づいて、ＵＥがｍａｓｋ１とｍａｓｋ２との間で選択を行うケースについて、具体的な実施形態の説明を行う。しかしながら、これらの実施形態は、ＴＴＩに基づいていかなる数のマスクから１つのマスクを選択することにも適用可能である。
【０１００】
この方法は、ステップ９１２において開始する。ここでＵＥは、当該ＵＥとセルとの間でワイヤレス信号を動作させるためのＴＴＩを取得する。例えば、ワイヤレス通信デバイス１１０５は、セル１１１５内でワイヤレス信号を送信し及び／又は受信するためのＴＴＩを取得し得る。
【０１０１】
具体的な実施形態において、ＵＥは、第１のキャリア上の第１のセルと当該ＵＥとの間で第１の信号を動作させるために使用される第１のＴＴＩ（ＴＴＩ１）を取得し又は決定する。第１のセルは、ＵＥのサービングセル（例えば、ＰＣｅｌｌ、ＰＳＣｅｌｌ、ＳＣｅｌｌなど）であり得る。第１のセルは、アップリンクサービングセルに相当し得る。このケースにおいて、ＴＴＩ１は、アップリンクサービングセルのＴＴＩに相当する。
【０１０２】
ここでの、第１のセルとＵＥとの間で「信号を動作させる」という語句は、ＵＥが第１のセルから信号を受信すること、及び／又は、ＵＥが第１のセルへ信号を送信すること、を含む。ＵＥにおいて第１のセルから受信される信号の例には、ダウンリンクチャネル（例えば、ＰＤＣＣＨ、ＰＤＳＣＨ、ｓＰＤＣＣＨ、ｓＰＤＳＣＨなど）が含まれる。第１のセルへＵＥが送信する信号の例には、アップリンクチャネル（例えば、ＰＵＣＣＨ、ＰＵＳＣＨ、ｓＰＵＣＣＨ、ｓＰＵＳＣＨなど）が含まれる。
【０１０３】
いくつかの実施形態において、ＵＥは、第２のキャリア上の第２のセルと当該ＵＥとの間で第２の信号を動作させるために使用される第２のＴＴＩ（ＴＴＩ２）をさらに取得し又は決定し得る。第２のセルは、ＵＥのサービングセル（例えば、ＰＣｅｌｌ、ＰＳＣｅｌｌなど）を含み得る。第２のセルは、アップリンクサービングセルに相当し得る。このケースにおいて、ＴＴＩ２は、アップリンクサービングセルのＴＴＩに相当する。
【０１０４】
具体的な実施形態において、ＵＥは、以下の仕組みのうちの１つ以上に基づいて、ＴＴＩ１及び／又はＴＴＩ２を決定し得る。ＵＥは、予め定義された情報（例えば、ＴＴＩ１とＦ１という周波数帯域との間の関係、及び／又は、ＴＴＩ２とＦ２という周波数帯域との間の関係）を使用してもよい。ＵＥは、ネットワークノードから受信される構成（例えば、ＰＣｅｌｌ、ＳＣｅｌｌ、ＳＣｅｌｌなど）を使用してもよい。例えば、ＵＥは、ダウンリンクにおいて制御信号を受信することにより、又は、ＲＲＣメッセージを受信することにより、任意のキャリアにおいて任意の時点で使用されるＴＴＩパターンを決定してもよい。
【０１０５】
いくつかの実施形態において、ＵＥは、予め定義されたルールを使用し得る。ルールの例には、以下のものが含まれる。ＵＥは、リファレンスセルにおいて使用されるものと同じＴＴＩを適用してもよい。リファレンスセルの例には、ＰＣｅｌｌ又はＰＳＣｅｌｌが含まれる。ＵＥは、第１のセル（及び／又は第２のセル）の反対方向において使用されるＴＴＩに基づいて、ＴＴＩを決定してもよい。例えば、ＵＥは、第１のセル（及び／又は第２のセル）のアップリンク及びダウンリンクにおいて、同じＴＴＩを想定してもよい。
【０１０６】
いくつかの実施形態において、ＵＥは、第１のセルにおけるアップリンクが、当該第１のセル（及び／又は第２のセル）のダウンリンクのＴＴＩよりも短くないＴＴＩを使用しているものと想定する。ＵＥは、自律的決定を使用してもよい（例えば、ＵＥは、予め定義される複数の異なるＴＴＩのダウンリンクチャネルの復号を試みることにより、ブラインド検出を使用する）。
【０１０７】
具体的な実施形態は、ＵＥとセルとの間で第１のワイヤレス信号を動作させるためのＴＴＩを取得することについて言及する。キャリアアグリゲーションは、統合されたセルの一群のうちのいくつかのセルについて、異なるＴＴＩを含み得る。但し、オン／オフマスクは、統合されたセルのうちのいくつか又は全てについて同一であってもよい。
【０１０８】
ステップ９１４において、ＵＥは、取得されるＴＴＩに基づいて、複数のオン／オフ時間マスクからあるオン／オフ時間マスクを決定する。例えば、ワイヤレス通信デバイス１１０５は、先行するステップにおいて取得されるＴＴＩに基づいて、複数のオン／オフ時間マスクからあるオン／オフ時間マスクを決定し得る。
【０１０９】
オン／オフ時間マスクは、関連付けられるＴＴＩを基準とする電力上昇及び下降のための過渡期の長さ及び位置を特定する。具体的なマスクについて、上昇期の時間長は、下降期の時間長とは異なってもよい。オン／オフ時間マスクは、関連付けられるＴＴＩを基準として記述され得る。関連付けられるＴＴＩは、ＴＴＩのタイプ（例えば、２−ＯＳ  ＴＴＩ、４−ＯＳ  ＴＴＩなどといった、具体的な時間長に関連付けられるＴＴＩ）を指してもよい。いくつかの実施形態において、「関連付けられるＴＴＩ」という語句は、一般のＴＴＩをも指してもよい。例えば、いくつかの実施形態は、自身の、関連付けられるＴＴＩに対してオン／オフ時間マスクを記述する。時間マスクは、ＴＴＩの開始時刻及び停止時刻を基準とする上昇過渡期及び／又は下降過渡期について記述する。いくつかの実施形態は、具体的なＴＴＩを基準とするオン／オフ時間マスクについて記述し得る。例えば、オン／オフマスクは、その時点のＴＴＩ及び隣接するＴＴＩに基づいて、リアルタイムで決定される。
【０１１０】
具体的な実施形態において、マスクの決定は、ＴＴＩ時間長に基づいて行われ、このＴＴＩ時間長は、ＵＥが、自身のサービングセル内で信号を少なくとも送信するために使用する、少なくともＴＴＩに依存する。時間マスクは、リファレンスマスク又はマスクリファレンス（ＭＡＳＫｒｅｆ）としても言及され得る。
【０１１１】
いくつかの実施形態において、ＵＥは、少なくとも２つのＴＴＩをサポートし、当該ＵＥは、少なくとも１つのサービングセル上で信号を動作させるための、これらのサポートされるＴＴＩのうちのいずれかを用いて構成され得る。各ＴＴＩは、あるマスクに関連付けられる。ＵＥは、サービングセル内で信号を動作させるために当該ＵＥが使用すべきＴＴＩを決定した後、決定されるＴＴＩに関連付けられるマスクを選択する。概して、マスクはＴＴＩの関数であり、即ち、ｍａｓｋ＝ｆ（ＴＴＩ）である。
【０１１２】
別の例において、マスクは、ＵＥのサービングセルのアップリンクで使用されるＴＴＩ（ＴＴＩｕ）に主に依存し、即ち、ｍａｓｋ＝ｆ１（ＴＴＩｕ）である。さらに別の例において、マスクは、ＵＥのサービングセルのアップリンクで使用されるＴＴＩ（ＴＴＩｕ）と、ダウンリンクで使用されるＴＴＩ（ＴＴＩｄ）と、の双方に依存し、即ち、ｍａｓｋ＝ｆ２（ＴＴＩｕ，ＴＴＩｄ）である。
【０１１３】
キャリアアグリゲーションの実施形態において、第１のセル内でアップリンク信号Ｓ１と、第２のセル内でアップリンク信号Ｓ２と、をそれぞれ送信するために使用されるｍａｓｋ１及びｍａｓｋ２の値は、第１のセルのアップリンクでＵＥにより使用されるＴＴＩの関数である。このことは、以下、即ち、ｍａｓｋ１＝ｆ３（ＴＴＩ１）及びｍａｓｋ２＝ｆ４（ＴＴＩ２）により表現され得る。前述した式を、ｍａｓｋｊ＝ｆ５（ＴＴＩｊ）として一般化することができる。
【０１１４】
さらに別の例において、マスクは、ＴＴＩだけではなく、ＵＥのサービングセルの、アップリンクで使用されるＴＴＩ（ＴＴＩｕ）及びダウンリンクで使用されるＴＴＩ（ＴＴＩｄ）の双方でサービングセル内でＵＥにより送信される信号（Ｓｇ）のタイプ、にも依存し得る。信号のタイプの例は、ＳＲＳ、ＤＭＲＳ、ＰＵＳＣＨ、ｓＰＵＳＣＨ、ＰＵＣＣＨ、ｓＰＵＣＣＨ、ＲＡＣＨなどである。マスク、ＴＴＩ、及び信号のタイプの間の関係は、次により表現されてもよい：ｍａｓｋ＝ｆ６（ＴＴＩ，Ｓｇ）、ｍａｓｋ＝ｆ７（ＴＴＩｕ，Ｓｇ）、及び、ｍａｓｋ＝ｆ８（ＴＴＩｕ，ＴＴＩｄ，Ｓｇ）。
【０１１５】
概して、いくつかの実施形態は、構成されるＴＴＩ及びワイヤレス信号の信号タイプに基づいて、オン／オフ時間マスクを決定することにより、第１のオン／オフ時間マスクを決定する。いくつかの実施形態において、信号タイプは、受信されるべきワイヤレス信号の信号タイプを含む。受信されるべきワイヤレス信号の信号タイプがリファレンス信号を含む場合、オン／オフ時間マスクを決定することは、関連付けられるＴＴＩの範囲内の時間に上昇過渡期及び下降過渡期が位置するオン／オフ時間マスクを決定すること、を含み得る。受信されるべきワイヤレス信号の信号タイプがユーザデータを含む場合、オン／オフ時間マスクを決定することは、関連付けられるＴＴＩの外側の時間に上昇過渡期及び下降過渡期が位置するオン／オフ時間マスクを決定すること、を含み得る。
【０１１６】
具体的な実施形態において、信号タイプは、隣接するＴＴＩにおいて受信されるべきワイヤレス信号の信号タイプを含む。隣接するＴＴＩにおいて受信されるべきワイヤレス信号の信号タイプがリファレンス信号を含む場合、オン／オフ時間マスクを決定することは、関連付けられるＴＴＩの外側の時間に上昇過渡期及び下降過渡期が位置するオン／オフ時間マスクを決定することを含み得る。隣接するＴＴＩにおいて受信されるべきワイヤレス信号の信号タイプがユーザデータを含む場合、オン／オフ時間マスクを決定することは、関連付けられるＴＴＩの範囲内の時間に上昇過渡期及び下降過渡期が位置するオン／オフ時間マスクを決定することを含み得る。
【０１１７】
いくつかの実施形態の一例として、ＵＥは、ＴＴＩ１を伴う第１のセルについて第１のタイプのマスク（ｍａｓｋ１）を使用してよく、ＵＥは、ＴＴＩ２を伴う第２のセルについて第２のタイプのマスク（ｍａｓｋ２）を使用してよい。図１０Ａ及び図１０Ｂに、ｍａｓｋ１及びｍａｓｋ２の一例が示されている。
【０１１８】
図１０Ａは、いくつかの実施形態に係る、関連付けられるＴＴＩの範囲内の時間に上昇過渡期及び下降過渡期が位置するオン／オフ時間マスクを示すタイミング図である。図１０Ｂは、いくつかの実施形態に係る、関連付けられるＴＴＩの外側の時間に上昇過渡期及び下降過渡期が位置するオン／オフ時間マスクを示すタイミング図である。換言すると、図１０Ａは、上昇／下降がＴＴＩ境界の内側にある場合の第１のタイプのマスク（レガシーマスクに類似）を示し、図１０Ｂは、上昇／下降がＴＴＩ時間長の外側にある場合の第２のタイプのマスクを示している。
【０１１９】
１ｍｓよりも小さい（即ち、１４−ＯＳ  ＴＴＩよりも小さい）ＴＴＩ時間長について、マスクは、１ｍｓのＴＴＩについて使用されるマスクとは異なり得る。留意されたいこととして、１ｍｓのＴＴＩは、１４個のＯＦＤＭシンボルを含む（通常サイクリックプレフィクスの長さを有する）。異なるＴＴＩについて使用される異なるマスクの一例が以下の表３に示されている。
【０１２０】
【表３】
2019537885.tif 000005
【０１２１】
別の例において、マスクの選択は、ＴＴＩ時間長についての閾値に依存してよく、ｍａｓｋ１＝ｆ６（ＴＴＩ≧Δμｓ）且つｍａｓｋ２＝ｆ７（ＴＴＩ＜Δμｓ）のようになる。概して、いくつかの実施形態は、取得されるＴＴＩの長さが閾値未満である場合に、あるオン／オフ時間マスクを決定することと、取得されるＴＴＩの長さが当該閾値以上である場合に、別のオン／オフ時間マスクを決定することと、により、第１のオン／オフ時間マスクを決定する。
【０１２２】
上記の数式は、Δ＝５００μｓである場合、以下の表４に示される例として表現され得る。
【０１２３】
【表４】
2019537885.tif 000006
【０１２４】
この表、リレーションマッピング、又は、ＴＴＩの値と対応するマスクパラメータとの間の関連付けは、以下の原理のうちの１つ以上に基づいて、ＵＥにより取得され得る。即ち、（ａ）予め定義されたルール（例えば、仕様において予め定義された要件）に基づいて；（ｂ）ネットワークノード又は別のＵＥから、それを受信することにより；（ｃ）ＵＥによる自律的選択により（例えば、履歴データ又は履歴統計に基づいて）；及び、（ｄ）第１のセル内のアップリンク信号の受信性能に基づいて（例えば、受信信号の品質が閾値未満である場合、ＵＥは、自身のマスクをＴＴＩの関数として調節してよく、即ち、調節は、その時点のＴＴＩに依存し得る）、取得することが可能である。
【０１２５】
いくつかの実施形態において、ＵＥは、２つの相前後するＴＴＩをまたいでスケジューリングされる。図１１Ａ〜図１１Ｃに示されるように、ＵＥは、複数のマスクのうちのいずれかの間で選択を行い得る。
【０１２６】
図１１Ａ〜図１１Ｃは、いくつかの実施形態に係る、２つ以上の相前後するＴＴＩについて使用されるオン／オフ時間マスクを示すタイミング図である。図１１Ａは、相前後するＴＴＩにおいてアップリンクリソースがＵＥに割り当てられる場合の第３のタイプのマスクを示している。各ＴＴＩについての上昇過渡期及び下降過渡期は、各ＴＴＩの範囲内の時間に位置する。図１１Ｂは、相前後するＴＴＩにおいてアップリンクリソースがＵＥに割り当てられている場合の第４のタイプのマスクを示している。各ＴＴＩについての上昇過渡期は、各ＴＴＩの外側の時間に位置し、各ＴＴＩについての下降過渡期は、各ＴＴＩの範囲内の時間に位置する。図１１Ｃは、相前後するＴＴＩにおいてアップリンクリソースがＵＥに割り当てられている場合の第５のタイプのマスクを示している。各ＴＴＩについての上昇過渡期は、各ＴＴＩの範囲内の時間に位置し、各ＴＴＩについての下降過渡期は、各ＴＴＩの外側の時間に位置する。２つの相前後するＴＴＩにおいてＵＥにリソースが割り当てられている場合の、異なるＴＴＩについて使用される異なるマスクの一例が、以下の表５に示されている。
【０１２７】
【表５】
2019537885.tif 000007
【０１２８】
別の例において、マスクの選択は、ＴＴＩ時間長についての閾値に依存してよく、Ｍａｓｋ３＝ｆ４（ＴＴＩ≧Δμｓ）且つＭａｓｋ４又はｍａｓｋ５＝ｆ５（ＴＴＩ＜Δμｓ）のようになる。
【０１２９】
上記の数式は、Δ＝５００μｓである場合、以下の表６に示される例として表現され得る。
【０１３０】
【表６】
2019537885.tif 000008
【０１３１】
概して、複数のオン／オフ時間マスクは、上昇過渡期及び下降過渡期が関連付けられるＴＴＩの範囲内の時間に位置するオン／オフ時間マスク、上昇過渡期及び下降過渡期が関連付けられるＴＴＩの外側の時間に位置するオン／オフ時間マスク、上昇過渡期が関連付けられるＴＴＩの範囲内の時間に位置し、下降過渡期が関連付けられるＴＴＩの外側の時間に位置するオン／オフ時間マスク、並びに、上昇過渡期が関連付けられるＴＴＩの外側の時間に位置し、下降過渡期が関連付けられるＴＴＩの範囲内の時間に位置するオン／オフ時間マスク、というオン／オフ時間マスクのうちのいずれかを含む。これら複数のオン／オフ時間マスクの各々についての関連付けられるＴＴＩは、複数の相前後するＴＴＩを含み得る。構成される第１のＴＴＩは、アップリンクＴＴＩ及びダウンリンクＴＴＩのうちの少なくとも一方を含み得る。
【０１３２】
さらに別の例示的な実施形態において、ＵＥは、（ａ）２つ以上の相前後するＴＴＩについて、アップリンクリソースが当該ＵＥに割り当てられている；及び、（ｂ）周波数ドメインにおけるリソース割り当てが、同じＵＥについての相前後するＴＴＩについて、同じままである、のうちの一方以上が該当し得る場合に、２つの相前後するＴＴＩ間での下降及び上昇を行わないと決める。これらの実施形態において、ＵＥは、図１２Ａ及び図１２Ｂに示されるような第６の時間マスクに追従することを選択し得る。
【０１３３】
図１２Ａ及び図１２Ｂは、いくつかの実施形態に係る、相前後するＴＴＩについて使用されるオン／オフ時間マスクの別の例を示すタイミング図である。図１２Ａは、２つの相前後するＴＴＩを伴う第６のタイプのマスクを示しており、このとき、ＵＥは、２つのＴＴＩ間で下降／上昇を行わず、２つの相前後するＴＴＩの両端における上昇及び下降が、ＴＴＩ時間長の範囲内で行われる。図１２Ｂを参照して説明されるような第７のタイプのマスクは、第６のタイプのマスクに類似しているが、相違点は、２つのＴＴＩの両端における上昇及び下降が、ＴＴＩ境界の外側で行われている点である。
【０１３４】
図１３は、いくつかの実施形態に係る、相前後し且つ重複するＴＴＩについて使用されるオン／オフ時間マスクの一例を示すタイミング図である。２つの相前後するＴＴＩ間の点線は、大きな時間マスク（即ち、２つ以上のＴＴＩをカバーするマスク）が使用されない場合、ＵＥが、その直後に、２つのＴＴＩの中間において下降及び上昇を行うことを示している。
【０１３５】
図１１Ａ〜図１３における例示的なマスクは、２つの相前後するＴＴＩを示している。しかしながら、適用可能である場合、３つ以上のＴＴＩについて大きな時間マスク（即ち、第６の又は第７のマスクといった、２つ以上のＴＴＩをカバーする時間マスク）を使用する概念が使用されてよい。その間に単一の時間マスクが使用されるＴＴＩの数は、以下の方法のいずれかを使用して、ＵＥにより決定され得る。即ち、（ａ）ＵＥは、自身がダウンリンクにおいて受信するアップリンク制御情報（ＵＣＩ）から、自身が相前後するアップリンクリソース割り当てを有するＴＴＩの数を決定し得る（これら相前後するＴＴＩの全てについて、ＵＥには同数のＲＢが割り当てられる）。（ｂ）その数は、例えば最大で３つのＴＴＩといった、予め定義された数であり得る。（ｃ）その数は、ＴＴＩ時間長を含む関数に基づいて決定され得る（例えば、より短いＴＴＩ時間長については、相前後するＴＴＩの最大許容数が、より大きなＴＴＩ時間長についてよりも大きくてよい）。（ｄ）ＵＥは、この数を、ネットワークシグナリングを介してネットワークから受信してもよい。
【０１３６】
別の例示的な実施形態において、第６のタイプのマスクと第７のタイプのマスクとの間の選択は、ＴＴＩ時間長に依存し得る。例えば、あり得るセットが以下に表７において示されている。
【０１３７】
【表７】
2019537885.tif 000009
【０１３８】
表６に類似するルールといった他のルールが、第６のタイプのマスク及び／又は第７のタイプのマスクの間でのマスクの選択にも適用されてよい。
【０１３９】
別の例示的な実施形態において、ＵＥは、相前後するＴＴＩについて電力制御パラメータ、リソース割り当てなどが同じであるか否かに依存して、図１１Ａ〜図１３のマスクのうちのいずれかを選択してもよい。例示的な組み合わせが以下に示されている。
【０１４０】
【表８】
2019537885.tif 000010
【０１４１】
別の例示的な実施形態において、２つの相前後するＴＴＩが時間的に互いに重複する（及び、相前後し且つ重複するそれらＴＴＩにおいて、ＵＥにリソースが割り当てられている）場合、ＵＥは、大きなマスクを使用して、双方のＴＴＩをカバーすることができる。このことは、（図４に示されるような）４−ＯＳ  ＴＴＩといった短縮されるＴＴＩパターンが何らかのキャリアについて使用される場合に、及び、２つのこのような相前後する４−ＯＳ  ＴＴＩにおいてＵＥにアップリンクリソースが割り当てられる場合になされてもよい。前述した例は１つの例であり、同じことがなされ得る他のＴＴＩの組み合わせが存在する。これらのケースにおいて、ＵＥは、１つのマスクを使用して、双方のＴＴＩをカバーすることができる。図１３に例示的なマスクが示されている。
【０１４２】
上で紹介した図１３では、２つの重複するＴＴＩについて大きなマスクが使用されており、重複するシンボルは、リファレンス信号（例えば、ＤＭＲＳ）シンボルである。別の例では、複数のリファレンス信号（例えば、２つのＤＭＲＳシンボル）を含む、２つ以上の重複するシンボルが存在し得る。別の例において、重複するシンボルは、任意の他のアップリンク信号（例えば、ＳＲＳ、データ信号、制御チャネルなど）を含み得る。示されている実施形態において、実線のマスクは個々のＴＴＩを表し、破線のマスクは、双方のＴＴＩについての大きな共通マスクを表す（即ち、１つのより大きなマスクが、２つの相前後するＴＴＩにおける全シンボルをカバーする）。
【０１４３】
いくつかの実施形態では、必要であれば、３つ以上のＴＴＩが大きなマスク内に含まれ得る。より大きなマスクが双方のＴＴＩをカバーすることの利点とは、重複するシンボル（又はＤＭＲＳといった共通シンボル）が、マスクの過渡期からの影響を受けない点である。転じて、これは、ＤＭＲＳを受信する基地局が、当該ＤＭＲＳを正確に復調し及びチャネル推定のために当該ＤＭＲＳを使用できることを確実化する。
【０１４４】
図９に戻ると、この方法は、ステップ９１６に進む。ステップ９１６において、ＵＥは、決定されるオン／オフ時間マスクに従って、セル内でワイヤレス信号を送信する。例えば、ワイヤレス通信デバイス１１０５は、先行するステップにおいて決定されるオン／オフ時間マスクに従って、セル１１１５内でワイヤレス信号を送信する。
【０１４５】
いくつかの実施形態において、ＵＥは、第１のセルへ信号を送信するために、決定されるマスク（ｍａｓｋ１及び／又はｍａｓｋ２）を使用する。当該決定されるマスクは、先行するステップにおけるＴＴＩの決定される値に、関連付けられている。ＵＥは、これらの決定されるマスクに基づいて、時間ウィンドウ内の自身のオン／オフの振る舞いが、ｍａｓｋ１及び／又はｍａｓｋ２により記述される値の範囲内に確実に収まるようにする。ＵＥは、さらに、ｍａｓｋ１及び／又はｍａｓｋ２の決定される値に基づき、信号を送信する対象のＴＴＩが当該ＵＥによりマスクが使用されたときのＴＴＩと同じである場合に、自身のオン／オフ時間ウィンドウがそのマスク範囲内に確実に留まるようにする。
【０１４６】
図９に示した方法９００に対し、修正、追加、又は省略がなされてもよい。加えて、方法９００内の１つ以上のステップは、並行して行われてもよく、又はいかなる適切な順序で行われてもよい。
【０１４７】
いくつかの実施形態は、ネットワークノードにおける方法を含む。概して、この方法は、以下のステップを含む。ステップ−１：第１のキャリア上の第１のセルとＵＥとの間で第１の信号を動作させるために使用される第１のＴＴＩ（ＴＴＩ１）で、及び／又は、第２のセルとＵＥとの間で第２のキャリア上で第２の信号を動作させるために使用される第２のＴＴＩ（ＴＴＩ２）で、ＵＥを構成すること。ステップ−２：ＴＴＩ１及びＴＴＩ２の決定される値に基づいて、アップリンク信号を送信するためにＵＥにより選択され若しくは使用されるべき第１のＴＴＩ１に関連付けられる第１のタイプのオン／オフ時間マスク（ｍａｓｋ１）、及び／又は、アップリンク信号を送信するためにＵＥにより選択され若しくは使用されるべき第２のＴＴＩ２に関連付けられる第２のタイプのオン／オフ時間マスク（ｍａｓｋ２）を決定すること。ステップ−３：決定されるオン／オフ時間マスクに基づいて、ＵＥから、第１のセル内で第１の信号を、及び／又は、第２のセル内で第２の信号を、受信すること。ステップ−４：いくつかの実施形態は、１つ以上の動作上のタスクのために、受信される信号及び／又は決定されるマスクを使用すること、を含む。図１４に、例示的な方法が示されている。
【０１４８】
図１４は、いくつかの実施形態に係る、ネットワークノードにおける例示的な方法のフロー図である。この方法は、オン／オフ時間マスクに従ってＵＥからワイヤレス信号を受信することを含む。具体的な実施形態において、方法１４５０の１つ以上のステップは、図８を参照して説明した通信システム１１００の無線アクセスノード１１１０により行われ得る。
【０１４９】
この方法は、ステップ１４５２において開始し、ここで、無線アクセスノードは、ＵＥとセルとの間でワイヤレス信号を動作させるためのＴＴＩでＵＥを構成する。例えば、無線アクセスノード１１１０は、ワイヤレス通信デバイス１１０５とセル１１１５との間でワイヤレス信号を動作させるためのショートＴＴＩでワイヤレス通信デバイス１１０５を構成し得る。
【０１５０】
具体的な実施形態において、ネットワークノードは、ネットワークノードとＵＥとの間で第１の信号（Ｓ１）を動作させるために使用される第１のＴＴＩ（ＴＴＩ１）でＵＥを構成する。ＴＴＩ１の構成は、メッセージ（例えば、ＲＲＣメッセージ）をＵＥへ送信することによって行われ得る。構成に先立ち、ネットワークノードは、ＴＴＩ１の値又はＴＴＩ１（即ち、固有の値）を構成する必要性を判定してもよい。
【０１５１】
加えて、ネットワークノードは、ネットワークノードとＵＥとの間で第２の信号（Ｓ２）を動作させるために使用される第２のＴＴＩ（ＴＴＩ２）でＵＥを構成する。ＴＴＩ２の構成は、メッセージ（例えば、ＲＲＣメッセージ）をＵＥへ送信することによって行われ得る。構成に先立ち、ネットワークノードは、ＴＴＩ２の値又はＴＴＩ２（即ち、固有の値）を構成する必要性を判定してもよい。
【０１５２】
ネットワークノードは、例えば、以下の原理のうちの１つ以上に基づいて、ＴＴＩ１及び／又はＴＴＩ２の値を決定し得る。即ち、（ａ）ＵＥが２つ以上の異なるＴＴＩ（例えば、ＴＴＩ１＝１ｍｓ及びＴＴＩ２＝０．１４ｍｓ）をサポートするかどうかというＵＥのケイパビリティ、（ｂ）必要とされるＵＥビットレート、（ｃ）ＵＥとネットワークノードとの間のデータパケットのデリバリに必要とされるラウンドトリップ時間（ＲＴＴ）（例えば、より短いＲＴＴが必要とされる場合、より短いＴＴＩが使用される）、及び、（ｄ）サービングセルを基準とするＵＥのロケーション（例えば、ＵＥがよりサービングセルに近接している場合、即ち、ｃｅｌｌ１にサービスしているネットワークノードにより近接している場合、より短いＴＴＩが使用され得る）。
【０１５３】
ステップ１４５４において、無線アクセスノードは、ＴＴＩに基づいて、複数のオン／オフ時間マスクからあるオン／オフ時間マスクを決定する。例えば、無線アクセスノード１１１０は、先行するステップにおいて決定されるＴＴＩに基づいて、オン／オフ時間マスクを決定してもよい。
【０１５４】
具体的な実施形態において、ネットワークノードは、ＴＴＩ１及び／又はＴＴＩ２の構成される値に基づいて、使用可能なマスク（ｍａｓｋ１及び／又はｍａｓｋ２）を決定する。パラメータｍａｓｋ１及び／又はｍａｓｋ２は、ｃｅｌｌ１及び／又はｃｅｌｌ２内でアップリンク信号を送信するために、ＵＥにより使用される。
【０１５５】
ネットワークノードは、ＴＴＩとオン／オフ時間マスクとの間の関係又はマッピングに基づいて、ｍａｓｋ１及び／又はｍａｓｋ２の値を決定してもよい。このマッピングは、２つのＴＴＩと、対応するオン／オフ時間の振る舞いを推定するための対応する２つのタイプのマスクウィンドウと、を含み得る。ネットワークノードは、図９を参照して説明した方法９００のステップ９１４に関連付けて上で説明したものと同じ原理を使用して、マスクのタイプを決定してもよい。
【０１５６】
ステップ１４５６において、無線アクセスノードは、決定されるオン／オフ時間マスクに従って、ＵＥからワイヤレス信号を受信する。例えば、無線アクセスノード１１１０は、先行するステップからのオン／オフ時間マスクに従って、ワイヤレス通信デバイス１１０５からワイヤレス信号を受信する。
【０１５７】
具体的な実施形態において、ネットワークノードは、構成されるＴＴＩ１にわたって第１のセル内でＵＥから第１の信号を受信する。ここで、ＵＥの送信信号はマスク（即ち、ｍａｓｋ１）に追従する。ネットワークノードは、構成されるＴＴＩ２にわたって第２のセル内でＵＥから第２の信号を受信し得る。ここで、ＵＥの送信信号はマスク（即ち、ｍａｓｋ２）に追従する。
【０１５８】
いくつかの実施形態において、ネットワークノードは、マスクの決定されるタイプ（即ち、ｍａｓｋ１及び／又はｍａｓｋ２）に基づいて、自身の受信機構成を適合させ得る。
【０１５９】
ステップ１４５８において、無線アクセスノードは、１つ以上の動作上のタスクのために、受信されるワイヤレス信号又は決定されるオン／オフ時間マスクを使用し得る。例えば、無線アクセスノード１１１０は、以下の動作上のタスクのうちのいずれかを行ってもよい：（ａ）ネットワークノードでの無線測定の実行、（ｂ）第１のセル及び／又は第２のセルでの、ダウンリンク及び／又はアップリンクにおけるＵＥのＴＴＩの適応化、（ｃ）異なる時間リソースにおける、第１のセル及び／又は第２のセルでのＵＥのＴＴＩの適応化、（ｄ）第１のセル及び／又は第２のセルにおけるＵＥの電力制御動作、（ｅ）第１のセル及び／又は第２のセルのアップリンク及び／又はダウンリンクにおける、データ又は信号のスケジューリング、並びに、（ｆ）第１のセル及び／又は第２のセルにおいてＵＥから信号を受信する基地局の受信機構成の適応化。
【０１６０】
図１４に示した方法１４５０に対し、修正、追加、又は省略がなされてもよい。加えて、方法１４５０内の１つ以上のステップは、並行して行われてもよく、又はいかなる適切な順序で行われてもよい。
【０１６１】
図１５Ａは、ワイヤレス通信デバイスの例示的な一実施形態を示すブロック図である。ワイヤレス通信デバイス１２００Ａは、プロセッサ１２０５（例えば、中央処理装置（ＣＰＵ）、特定用途向け集積回路（ＡＳＩＣ）、及び／又は、フィールドプログラマブルゲートアレイ（ＦＰＧＡ）など）、メモリ１２１０、送受信機１２１５、並びに、アンテナ１２２０を含む。ある実施形態において、ＵＥ、ＭＴＣデバイス若しくはＭ２Ｍデバイス、及び／又は、任意の他のタイプのワイヤレス通信デバイスにより提供されると説明した機能性の一部又は全てが、メモリ１２１０といったコンピュータ読取可能な媒体に記憶される命令群を実行するデバイスプロセッサにより提供されてもよい。代替的な実施形態は、ここで説明した機能性のいずれかを含めたデバイスの機能性の、ある態様を提供する責任を有し得る図１５Ａに示されるコンポーネント以外の、付加的なコンポーネントを含んでもよい。
【０１６２】
図１５Ｂは、ワイヤレス通信デバイスの例示的なコンポーネントを示すブロック図である。ワイヤレス通信デバイス１２００Ｂは、１つ以上の対応する機能を遂行するように構成される少なくとも１つのモジュール１２２５を含む。このような機能の例は、ワイヤレス通信デバイスを参照してここで説明したような、様々な方法ステップ又は方法ステップの組み合わせを含む。概して、モジュールは、対応する機能を遂行するように構成されるソフトウェア及び／又はハードウェアの任意の適切な組み合わせを含み得る。例えば、いくつかの実施形態において、モジュールは、図１５Ａに示されているものといった、関連付けられるプラットフォーム上で実行された場合に対応する機能を遂行するように構成されるソフトウェアを含む。いくつかの実施形態は、取得モジュール１２５０、決定モジュール１２５２、及び送信モジュール１２５４を含む。
【０１６３】
取得モジュール１２５０は、ワイヤレス通信デバイス１２００Ａの取得機能を遂行し得る。例えば、取得モジュール１２５０は、図９のステップ９１２の取得機能を遂行し得る。ある実施形態において、取得モジュール１２５０は、プロセッサ１２０５を含み得るか、又は、プロセッサ１２０５内に含まれ得る。具体的な実施形態において、取得モジュール１２５０は、決定モジュール１２５２及び送信モジュール１２５４と通信し得る。
【０１６４】
決定モジュール１２５２は、ワイヤレス通信デバイス１２００Ａの決定機能を遂行し得る。例えば、決定モジュール１２５２は、図９のステップ９１４の決定機能を遂行し得る。ある実施形態において、決定モジュール１２５２は、プロセッサ１２０５を含み得るか、又は、プロセッサ１２０５内に含まれ得る。具体的な実施形態において、決定モジュール１２５２は、取得モジュール１２５０及び送信モジュール１２５４と通信し得る。
【０１６５】
送信モジュール１２５４は、ワイヤレス通信デバイス１２００Ａの送信機能を遂行し得る。例えば、送信モジュール１２５４は、図９のステップ９１６の送信機能を遂行し得る。ある実施形態において、送信モジュール１２５４は、プロセッサ１２０５を含み得るか、又は、プロセッサ１２０５内に含まれ得る。具体的な実施形態において、送信モジュール１２５４は、取得モジュール１２５０及び決定モジュール１２５２と通信し得る。
【０１６６】
図１６Ａは、無線アクセスノードの例示的な一実施形態を示すブロック図である。無線アクセスノード１３００Ａは、ノードプロセッサ１３０５（例えば、中央処理装置（ＣＰＵ）、特定用途向け集積回路（ＡＳＩＣ）、及び／又は、フィールドプログラマブルゲートアレイ（ＦＰＧＡ）など）と、メモリ１３１０と、ネットワークインタフェース１３１５と、を含む、制御システム１３２０を含む。加えて、無線アクセスノード１３００Ａは、少なくとも１つのアンテナ１３３０に結合される少なくとも１つの送信機１３３５及び少なくとも１つの受信機１２８を含む、少なくとも１つの無線ユニット１３２５を含む。いくつかの実施形態において、無線ユニット１３２５は、制御システム１３２０の外部にあり、例えば、有線接続（例えば、光ケーブル）を介して制御システム１３２０に接続されている。しかしながら、いくつかの他の実施形態において、無線ユニット１３２５及び潜在的にアンテナ１３３０は、制御システム１３２０と共に一体化される。ノードプロセッサ１３０５は、ここで説明したような無線アクセスノード１３００Ａの少なくとも１つの機能１３４５を提供するように動作する。いくつかの実施形態において、当該機能は、例えばメモリ１３１０に記憶され、且つ、ノードプロセッサ１３０５により実行されるソフトウェアで実現される。
【０１６７】
ある実施形態において、基地局、ノードＢ、ｅｎｏｄｅＢ、及び／又は、任意の他のタイプのネットワークノードにより提供されると説明した機能性の一部又は全てが、図１６Ａに示されるメモリ１３１０などのコンピュータ読取可能な媒体に記憶される命令群を実行するノードプロセッサ１３０５により提供されてもよい。無線アクセスノード１３００の代替的な実施形態は、ここで説明した機能性、及び／又は、関連する、サポートする機能性といった付加的な機能性を提供するために、付加的なコンポーネントを含んでもよい。
【０１６８】
図１６Ｂは、無線アクセスノードの例示的なコンポーネントを示すブロック図である。無線アクセスノード１３００Ｂは、１つ以上の対応する機能を遂行するように構成される少なくとも１つのモジュール１３５０を含む。このような機能の例は、無線アクセスノードを参照してここで説明したような、様々な方法ステップ又は方法ステップの組み合わせを含む。概して、モジュールは、対応する機能を遂行するように構成されるソフトウェア及び／又はハードウェアの任意の適切な組み合わせを含み得る。例えば、いくつかの実施形態において、モジュールは、図１６Ａに示されているものといった、関連付けられるプラットフォーム上で実行された場合に対応する機能を遂行するように構成されるソフトウェアを含む。いくつかの実施形態は、構成モジュール１３５０、決定モジュール１３５２、及び受信モジュール１３５４を含む。
【０１６９】
構成モジュール１３５０は、無線アクセスノード１３００Ａの構成機能を遂行し得る。例えば、構成モジュール１３５０は、図１４のステップ１４５２の取得機能を遂行し得る。ある実施形態において、構成モジュール１３５０は、プロセッサ１３０５を含み得るか、又は、プロセッサ１３０５内に含まれ得る。具体的な実施形態において、構成モジュール１３５０は、決定モジュール１３５２及び受信モジュール１３５４と通信し得る。
【０１７０】
決定モジュール１３５２は、無線アクセスノード１３００Ａの決定機能を遂行し得る。例えば、決定モジュール１３５２は、図１４のステップ１４５４の決定機能を遂行し得る。ある実施形態において、決定モジュール１３５２は、プロセッサ１３０５を含み得るか、又は、プロセッサ１３０５内に含まれ得る。具体的な実施形態において、決定モジュール１３５２は、構成モジュール１３５０及び受信モジュール１３５４と通信し得る。
【０１７１】
受信モジュール１３５４は、無線アクセスノード１３００Ａの受信機能を遂行し得る。例えば、受信モジュール１３５４は、図１４のステップ１４５６の受信機能を遂行し得る。ある実施形態において、受信モジュール１３５４は、プロセッサ１３０５を含み得るか、又は、プロセッサ１３０５内に含まれ得る。具体的な実施形態において、受信モジュール１３５４は、構成モジュール１３５０及び決定モジュール１３５２と通信し得る。
【０１７２】
図１７は、いくつかの実施形態に係る、無線アクセスノードの仮想化された一例を示すブロック図である。図１７に関連して説明される概念は、他のタイプのネットワークノードにも同様に適用され得る。さらに、他のタイプのネットワークノードが、類似する仮想化されたアーキテクチャを有してよい。ここで使用されるところでは、「仮想化された無線アクセスノード」という用語は、無線アクセスノードの機能性の少なくとも一部が、（例えば、ネットワーク内の物理的な処理ノード上で稼働する仮想マシンを介して）仮想コンポーネントとして実装される無線アクセスノードの実装例への言及である。
【０１７３】
無線アクセスノード１４００は、図１６Ａに関連して記述したような制御システム１３２０を含む。制御システム１３２０は、ネットワークインタフェース１３１５を介して１つ以上の処理ノード１４２０へ接続され、当該１つ以上の処理ノード１４２０は、ネットワーク１４２５へ結合されるか又はネットワーク１４２５の一部として含まれる。各処理ノード１４２０は、１つ以上のプロセッサ１４０５（例えば、ＣＰＵ、ＡＳＩＣ、及び／又は、ＦＰＧＡなど）、メモリ１４１０、並びに、ネットワークインタフェース１４１５を含む。
【０１７４】
この例において、ここで説明した無線アクセスノード１３００Ａの機能１３４５は、１つ以上の処理ノード１４２０において実装され、又は、任意の所望の仕方で制御システム１３２０及び１つ以上の処理ノード４２０の間で分散される。いくつかの実施形態において、ここで説明した無線アクセスノード１３００Ａの機能１３４５のいくつか又は全ては、処理ノード１４２０によりホスティングされる仮想環境において実装される１つ以上の仮想マシンにより実行される、仮想コンポーネントとして実装される。当業者により認識されるように、所望の機能１３４５のうちの少なくともいくつかを遂行するために、処理ノード１４２０と制御システム１３２０との間の付加的なシグナリング又は通信が使用される。点線により示されるように、いくつかの実施形態において、制御システム１３２０が省略されてもよく、このケースでは、無線ユニット１３２５が、適正なネットワークインタフェースを介して処理ノード１４２０と直接的に通信する。
【０１７５】
いくつかの実施形態において、コンピュータプログラムは、少なくとも１つのプロセッサにより実行された場合に当該少なくとも１つのプロセッサに、無線アクセスノード（例えば、無線アクセスノード１１１０若しくは１３００Ａ）又はここで説明した実施形態のいずれかに従った仮想環境において無線アクセスノードの機能のうちの１つ以上を実装する別のノード（例えば、処理ノード１４２０）の機能性を遂行させる命令群、を含む。
【０１７６】
様々な実施形態を参照して、開示される主題をこれまで提示してきたが、理解されるであろうこととして、説明したそれら実施形態に対し、開示されるこの主題のスコープ全体から逸脱することなく、形式及び詳細における多様な変更がなされてよい。
【０１７７】
略語
３ＧＰＰ            第三世代パートナーシッププロジェクト
ＢＬＥＲ            ブロックエラーレート
ＣＡ                キャリアアグリゲーション
ＣＣ                コンポーネントキャリア
ＣＦＩ              制御フォーマットインジケータ
ＣＮ                コアネットワーク
ＤＭＲＳ            復調リファレンス信号
ＤＴＸ              不連続送信
ｅＮＢ              進化型ノードＢ
ｅＮｏｄｅＢ        進化型ノードＢ
ＦＤＤ              周波数分割複信
ＩｏＴ              モノのインターネット
ＬＴＥ              ロング・ターム・エボリューション
ＮＲ                新無線
ＮＷ                ネットワーク
ＯＦＤＭ            直交周波数分割多重
ＰＣＣ              プライマリコンポーネントキャリア
ＰＣｅｌｌ          プライマリセル
ＰＣＦＩＣＨ        物理ＣＦＩチャネル
ＰＤＣＣＨ          物理ダウンリンク制御チャネル
ＰＤＳＣＨ          物理ダウンリンク共有チャネル
ＰＵＣＣＨ          物理アップリンク制御チャネル
ＰＵＳＣＨ          物理アップリンク共有チャネル
ＰＨＩＣＨ          物理ＨＡＲＱ指示チャネル
ＰＲＢ              物理リソースブロック
ＲＡＴ              無線アクセス技術
ＲＡＮ              無線アクセスネットワーク
ＲＲＣ              無線リソース制御
【図１】
2019537885.tif 000011
【図２】
2019537885.tif 000012
【図３】
2019537885.tif 000013
【図４】
2019537885.tif 000014
【図５】
2019537885.tif 000015
【図６】
2019537885.tif 000016
【図７】
2019537885.tif 000017
【図８】
2019537885.tif 000018
【図９】
2019537885.tif 000019
【図１０Ａ】
2019537885.tif 000020
【図１０Ｂ】
2019537885.tif 000021
【図１１Ａ】
2019537885.tif 000022
【図１１Ｂ】
2019537885.tif 000023
【図１１Ｃ】
2019537885.tif 000024
【図１２Ａ】
2019537885.tif 000025
【図１２Ｂ】
2019537885.tif 000026
【図１３】
2019537885.tif 000027
【図１４】
2019537885.tif 000028
【図１５Ａ】
2019537885.tif 000029
【図１５Ｂ】
2019537885.tif 000030
【図１６Ａ】
2019537885.tif 000031
【図１６Ｂ】
2019537885.tif 000032
【図１７】
2019537885.tif 000033
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）における使用のための、オン／オフ時間マスクに従ってワイヤレス信号を送信する方法であって、
前記ＵＥとセルとの間で第１のワイヤレス信号を動作させるための第１の送信時間インターバル（ＴＴＩ）を取得すること（９１２）と、
取得される前記第１のＴＴＩに基づいて、複数のオン／オフ時間マスクから第１のオン／オフ時間マスクを決定すること（９１４）であって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記セル内で前記第１のワイヤレス信号を送信すること（９１６）と、
を含む方法。
【請求項２】
請求項１の方法であって、前記複数のオン／オフ時間マスクは、
上昇過渡期及び下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、方法。
【請求項３】
請求項２の方法であって、前記複数のオン／オフ時間マスクの各々についての前記関連付けられるＴＴＩは、複数の相前後するＴＴＩを含む、方法。
【請求項４】
請求項１〜３のいずれか１項の方法であって、取得される前記第１のＴＴＩは、アップリンクＴＴＩ及びダウンリンクＴＴＩのうちの少なくとも一方を含む、方法。
【請求項５】
請求項１〜４のいずれか１項の方法であって、前記第１のオン／オフ時間マスクを決定すること（９１４）は、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、を含む、方法。
【請求項６】
請求項１〜５のいずれか１項の方法であって、前記第１のオン／オフ時間マスクを決定すること（９１４）は、取得される前記ＴＴＩ及びワイヤレス信号の信号タイプに基づいて、前記オン／オフ時間マスクを決定することを含む、方法。
【請求項７】
請求項６の方法であって、前記信号タイプは、送信されるべき前記ワイヤレス信号の信号タイプを含む、方法。
【請求項８】
請求項７の方法であって、
送信されるべき前記ワイヤレス信号の前記信号タイプがリファレンス信号を含む場合、前記オン／オフ時間マスクを決定すること（９１４）は、上昇過渡期及び下降過渡期が前記関連付けられるＴＴＩの範囲内の時間に位置するオン／オフ時間マスクを決定することを含み、
送信されるべき前記ワイヤレス信号の前記信号タイプがユーザデータを含む場合、前記オン／オフ時間マスクを決定すること（９１４）は、前記上昇過渡期及び前記下降過渡期が前記関連付けられるＴＴＩの外側の時間に位置するオン／オフ時間マスクを決定することを含む、方法。
【請求項９】
請求項６の方法であって、前記信号タイプは、隣接するＴＴＩにおいて送信されるべきワイヤレス信号の信号タイプを含む、方法。
【請求項１０】
請求項９の方法であって、
隣接するＴＴＩにおいて送信されるべき前記ワイヤレス信号の前記信号タイプがリファレンス信号を含む場合、前記オン／オフ時間マスクを決定すること（９１４）は、上昇過渡期及び下降過渡期が前記関連付けられるＴＴＩの外側の時間に位置するオン／オフ時間マスクを決定することを含み、
隣接するＴＴＩにおいて送信されるべき前記ワイヤレス信号の前記信号タイプがユーザデータを含む場合、前記オン／オフ時間マスクを決定すること（９１４）は、前記上昇過渡期及び前記下降過渡期が前記関連付けられるＴＴＩの範囲内の時間に位置するオン／オフ時間マスクを決定することを含む、方法。
【請求項１１】
請求項１〜１０のいずれか１項の方法であって、
前記ＵＥと前記セルとの間で第２のワイヤレス信号を動作させるための第２のＴＴＩを取得すること（９１２）と、
取得される前記第２のＴＴＩに基づいて、前記複数のオン／オフ時間マスクから第２のオン／オフ時間マスクを決定すること（９１４）と、
決定される前記第２のオン／オフ時間マスクに従って、前記セル内で前記第２のワイヤレス信号を送信すること（９１６）と、
をさらに含む、方法。
【請求項１２】
オン／オフ時間マスクに従ってワイヤレス信号を送信することが可能なユーザ機器（ＵＥ）（１１０５）であって、プロセッサ（１２０５）を含み、前記プロセッサは、
前記ＵＥとセルとの間で第１のワイヤレス信号を動作させるための第１の送信時間インターバル（ＴＴＩ）を取得することと、
取得される前記第１のＴＴＩに基づいて、複数のオン／オフ時間マスクから第１のオン／オフ時間マスクを決定することであって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記セル内で前記第１のワイヤレス信号を送信することと、
を行うように動作可能であるＵＥ。
【請求項１３】
請求項１２のＵＥであって、前記複数のオン／オフ時間マスクは、
上昇過渡期及び下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、ＵＥ。
【請求項１４】
請求項１３のＵＥであって、前記複数のオン／オフ時間マスクの各々についての前記関連付けられるＴＴＩは、複数の相前後するＴＴＩを含む、ＵＥ。
【請求項１５】
請求項１２〜１４のいずれか１項のＵＥであって、取得される前記第１のＴＴＩは、アップリンクＴＴＩ及びダウンリンクＴＴＩのうちの少なくとも一方を含む、ＵＥ。
【請求項１６】
請求項１２〜１５のいずれか１項のＵＥであって、前記プロセッサは、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、により前記第１のオン／オフ時間マスクを決定する、ように動作可能である、ＵＥ。
【請求項１７】
請求項１２〜１６のいずれか１項のＵＥであって、前記プロセッサは、取得される前記ＴＴＩ及びワイヤレス信号の信号タイプに基づいて前記オン／オフ時間マスクを決定することにより、前記第１のオン／オフ時間マスクを決定する、ように動作可能である、ＵＥ。
【請求項１８】
請求項１７のＵＥであって、前記信号タイプは、送信されるべき前記ワイヤレス信号の信号タイプを含む、ＵＥ。
【請求項１９】
請求項１８のＵＥであって、
送信されるべき前記ワイヤレス信号の前記信号タイプがリファレンス信号を含む場合、前記プロセッサは、上昇過渡期及び下降過渡期が前記関連付けられるＴＴＩの範囲内の時間に位置するオン／オフ時間マスクを決定することにより、前記オン／オフ時間マスクを決定する、ように動作可能であり、
送信されるべき前記ワイヤレス信号の前記信号タイプがユーザデータを含む場合、前記プロセッサは、前記上昇過渡期及び前記下降過渡期が前記関連付けられるＴＴＩの外側の時間に位置するオン／オフ時間マスクを決定することにより、前記オン／オフ時間マスクを決定する、ように動作可能である、ＵＥ。
【請求項２０】
請求項１７のＵＥであって、前記信号タイプは、隣接するＴＴＩにおいて送信されるべきワイヤレス信号の信号タイプを含む、ＵＥ。
【請求項２１】
請求項２０のＵＥであって、
前記プロセッサは、隣接するＴＴＩにおいて送信されるべき前記ワイヤレス信号の前記信号タイプがリファレンス信号を含む場合、上昇過渡期及び下降過渡期が前記関連付けられるＴＴＩの外側の時間に位置するオン／オフ時間マスクを決定することにより、前記オン／オフ時間マスクを決定する、ように動作可能であり、
前記プロセッサは、隣接するＴＴＩにおいて送信されるべき前記ワイヤレス信号の前記信号タイプがユーザデータを含む場合、前記上昇過渡期及び前記下降過渡期が前記関連付けられるＴＴＩの範囲内の時間に位置するオン／オフ時間マスクを決定することにより、前記オン／オフ時間マスクを決定する、ように動作可能である、ＵＥ。
【請求項２２】
請求項１２〜２１のいずれか１項のＵＥであって、前記プロセッサは、
前記ＵＥと前記セルとの間で第２のワイヤレス信号を動作させるための第２のＴＴＩを取得し、
取得される前記第２のＴＴＩに基づいて、前記複数のオン／オフ時間マスクから第２のオン／オフ時間マスクを決定し、
決定される前記第２のオン／オフ時間マスクに従って、前記セル内で前記第２のワイヤレス信号を送信する、
ようにさらに動作可能である、ＵＥ。
【請求項２３】
ネットワークノードにおける使用のための、オン／オフ時間マスクに従ってユーザ機器（ＵＥ）からワイヤレス信号を受信する方法であって、
前記ＵＥとセルとの間で第１のワイヤレス信号を動作させるための第１の送信時間インターバル（ＴＴＩ）で前記ＵＥを構成すること（１４５２）と、
前記第１のＴＴＩに基づいて、複数のオン／オフ時間マスクから第１のオン／オフ時間マスクを決定すること（１４５４）であって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記ＵＥから前記第１のワイヤレス信号を受信すること（１４５６）と、
を含む方法。
【請求項２４】
請求項２３の方法であって、前記複数のオン／オフ時間マスクは、
上昇過渡期及び下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、方法。
【請求項２５】
請求項２４の方法であって、前記複数のオン／オフ時間マスクの各々についての前記関連付けられるＴＴＩは、複数の相前後するＴＴＩを含む、方法。
【請求項２６】
請求項２３〜２５のいずれか１項の方法であって、構成される前記第１のＴＴＩは、アップリンクＴＴＩ及びダウンリンクＴＴＩのうちの少なくとも一方を含む、方法。
【請求項２７】
請求項２３〜２６のいずれか１項の方法であって、前記第１のオン／オフ時間マスクを決定すること（１４５４）は、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、を含む、方法。
【請求項２８】
請求項２３〜２７のいずれか１項の方法であって、前記第１のオン／オフ時間マスクを決定すること（１４５４）は、構成される前記ＴＴＩ及びワイヤレス信号の信号タイプに基づいて、前記オン／オフ時間マスクを決定することを含む、方法。
【請求項２９】
請求項２８の方法であって、前記信号タイプは、受信されるべき前記ワイヤレス信号の信号タイプを含む、方法。
【請求項３０】
請求項２９の方法であって、
受信されるべき前記ワイヤレス信号の前記信号タイプがリファレンス信号を含む場合、前記オン／オフ時間マスクを決定することは、上昇過渡期及び下降過渡期が前記関連付けられるＴＴＩの範囲内の時間に位置するオン／オフ時間マスクを決定することを含み、
受信されるべき前記ワイヤレス信号の前記信号タイプがユーザデータを含む場合、前記オン／オフ時間マスクを決定することは、前記上昇過渡期及び前記下降過渡期が前記関連付けられるＴＴＩの外側の時間に位置するオン／オフ時間マスクを決定することを含む、方法。
【請求項３１】
請求項２８の方法であって、前記信号タイプは、隣接するＴＴＩにおいて受信されるべきワイヤレス信号の信号タイプを含む、方法。
【請求項３２】
請求項３１の方法であって、
隣接するＴＴＩにおいて受信されるべき前記ワイヤレス信号の前記信号タイプがリファレンス信号を含む場合、前記オン／オフ時間マスクを決定することは、上昇過渡期及び下降過渡期が前記関連付けられるＴＴＩの外側の時間に位置するオン／オフ時間マスクを決定することを含み、
隣接するＴＴＩにおいて受信されるべき前記ワイヤレス信号の前記信号タイプがユーザデータを含む場合、前記オン／オフ時間マスクを決定することは、前記上昇過渡期及び前記下降過渡期が前記関連付けられるＴＴＩの範囲内の時間に位置するオン／オフ時間マスクを決定することを含む、方法。
【請求項３３】
請求項２３〜３２のいずれか１項の方法であって、
前記ＵＥとセルとの間でワイヤレス信号を動作させるための第２のＴＴＩで前記ＵＥを構成すること（１４５２）と、
前記第２のＴＴＩに基づいて、前記複数のオン／オフ時間マスクから第２のオン／オフ時間マスクを決定すること（１４５４）と、
決定される前記第２のオン／オフ時間マスクに従って、前記ＵＥから第２のワイヤレス信号を受信すること（１４５６）と、
をさらに含む、方法。
【請求項３４】
オン／オフ時間マスクに従ってユーザ機器（ＵＥ）（１１０５）からワイヤレス信号を受信することが可能なネットワークノード（１１１０）であって、プロセッサ（１３０５）を含み、前記プロセッサは、
前記ＵＥとセルとの間で第１のワイヤレス信号を動作させるための第１の送信時間インターバル（ＴＴＩ）で前記ＵＥを構成することと、
前記第１のＴＴＩに基づいて、複数のオン／オフ時間マスクから第１のオン／オフ時間マスクを決定することであって、オン／オフ時間マスクは関連付けられるＴＴＩを基準とする電力上昇及び下降のための過渡期の長さ及び位置を特定する、前記決定することと、
決定される前記第１のオン／オフ時間マスクに従って、前記ＵＥから前記第１のワイヤレス信号を受信することと、
を行うように動作可能である、ネットワークノード。
【請求項３５】
請求項３４のネットワークノードであって、前記複数のオン／オフ時間マスクは、
上昇過渡期及び下降過渡期が前記関連付けられるＴＴＩの範囲内の時間に位置するオン／オフ時間マスク、
前記上昇過渡期及び前記下降過渡期が前記関連付けられるＴＴＩの外側の時間に位置するオン／オフ時間マスク、
前記上昇過渡期が前記関連付けられるＴＴＩの範囲内の時間に位置し、前記下降過渡期が前記関連付けられるＴＴＩの外側の時間に位置するオン／オフ時間マスク、並びに、
前記上昇過渡期が前記関連付けられるＴＴＩの外側の時間に位置し、前記下降過渡期が前記関連付けられるＴＴＩの範囲内の時間に位置するオン／オフ時間マスク、
というオン／オフ時間マスクのうちのいずれかを含む、ネットワークノード。
【請求項３６】
請求項３５のネットワークノードであって、前記複数のオン／オフ時間マスクの各々についての前記関連付けられるＴＴＩは、複数の相前後するＴＴＩを含む、ネットワークノード。
【請求項３７】
請求項３４〜３６のいずれか１項のネットワークノードであって、構成される前記第１のＴＴＩは、アップリンクＴＴＩ及びダウンリンクＴＴＩのうちの少なくとも一方を含む、ネットワークノード。
【請求項３８】
請求項３４〜３７のいずれか１項のネットワークノードであって、前記プロセッサは、取得される前記ＴＴＩの長さが閾値未満である場合に、あるオン／オフ時間マスクを決定することと、取得される前記ＴＴＩの前記長さが前記閾値以上である場合に、別のオン／オフ時間マスクを決定することと、により、前記第１のオン／オフ時間マスクを決定する、ように動作可能である、ネットワークノード。
【請求項３９】
請求項３４〜３８のいずれか１項のネットワークノードであって、前記プロセッサは、構成される前記ＴＴＩ及びワイヤレス信号の信号タイプに基づいて、前記オン／オフ時間マスクを決定することにより、前記第１のオン／オフ時間マスクを決定する、ように動作可能である、ネットワークノード。
【請求項４０】
請求項３９のネットワークノードであって、前記信号タイプは、受信されるべき前記ワイヤレス信号の信号タイプを含む、ネットワークノード。
【請求項４１】
請求項４０のネットワークノードであって、
前記プロセッサは、受信されるべき前記ワイヤレス信号の前記信号タイプがリファレンス信号を含む場合、上昇過渡期及び下降過渡期が前記関連付けられるＴＴＩの範囲内の時間に位置するオン／オフ時間マスクを決定することにより、前記オン／オフ時間マスクを決定する、ように動作可能であり、
前記プロセッサは、受信されるべき前記ワイヤレス信号の前記信号タイプがユーザデータを含む場合、前記上昇過渡期及び前記下降過渡期が前記関連付けられるＴＴＩの外側の時間に位置するオン／オフ時間マスクを決定することにより、前記オン／オフ時間マスクを決定する、ように動作可能である、ネットワークノード。
【請求項４２】
請求項４０のネットワークノードであって、前記信号タイプは、隣接するＴＴＩにおいて受信されるべきワイヤレス信号の信号タイプを含む、ネットワークノード。
【請求項４３】
請求項４２のネットワークノードであって、
前記プロセッサは、隣接するＴＴＩにおいて受信されるべき前記ワイヤレス信号の前記信号タイプがリファレンス信号を含む場合、上昇過渡期及び下降過渡期が前記関連付けられるＴＴＩの外側の時間に位置するオン／オフ時間マスクを決定することにより、前記オン／オフ時間マスクを決定する、ように動作可能であり、
前記プロセッサは、隣接するＴＴＩにおいて受信されるべき前記ワイヤレス信号の前記信号タイプがユーザデータを含む場合、前記上昇過渡期及び前記下降過渡期が前記関連付けられるＴＴＩの範囲内の時間に位置するオン／オフ時間マスクを決定することにより、前記オン／オフ時間マスクを決定する、ように動作可能である、ネットワークノード。
【請求項４４】
請求項３４〜４３のいずれか１項のネットワークノードであって、前記プロセッサは、
前記ＵＥとセルとの間でワイヤレス信号を動作させるための第２のＴＴＩで前記ＵＥを構成し、
前記第２のＴＴＩに基づいて、前記複数のオン／オフ時間マスクから第２のオン／オフ時間マスクを決定し、
決定される前記第２のオン／オフ時間マスクに従って、前記ＵＥから第２のワイヤレス信号を受信する、
ようにさらに動作可能である、ネットワークノード。
【請求項４５】
オン／オフ時間マスクに従ってワイヤレス信号を送信することが可能なユーザ機器（ＵＥ）（１１０５）であって、取得モジュール（１２５０）、決定モジュール（１２５２）、及び送信モジュール（１２５４）を含み、
前記取得モジュールは、前記ＵＥとセルとの間で第１のワイヤレス信号を動作させるための第１の送信時間インターバル（ＴＴＩ）を取得する、ように動作可能であり、
前記決定モジュールは、取得される前記第１のＴＴＩに基づいて、複数のオン／オフ時間マスクから第１のオン／オフ時間マスクを決定する、ように動作可能であり、オン／オフ時間マスクは関連付けられるＴＴＩを基準とする電力上昇及び下降のための過渡期の長さ及び位置を特定し、
前記送信モジュールは、決定される前記第１のオン／オフ時間マスクに従って、前記セル内で前記第１のワイヤレス信号を送信する、ように動作可能である、
ＵＥ。
【請求項４６】
オン／オフ時間マスクに従ってユーザ機器（ＵＥ）（１１０５）からワイヤレス信号を受信することが可能なネットワークノード（１１１０）であって、構成モジュール（１３５０）、決定モジュール（１３５２）、及び受信モジュール（１３５４）を含み、
前記構成モジュールは、前記ＵＥとセルとの間で第１のワイヤレス信号を動作させるための第１の送信時間インターバル（ＴＴＩ）で前記ＵＥを構成する、ように動作可能であり、
前記決定モジュールは、前記第１のＴＴＩに基づいて、複数のオン／オフ時間マスクから第１のオン／オフ時間マスクを決定する、ように動作可能であり、オン／オフ時間マスクは関連付けられるＴＴＩを基準とする電力上昇及び下降のための過渡期の長さ及び位置を特定し、
前記受信モジュールは、決定される前記第１のオン／オフ時間マスクに従って、前記ＵＥから前記第１のワイヤレス信号を受信する、ように動作可能である、
ネットワークノード。
【手続補正２】
【補正対象書類名】明細書
【補正対象項目名】００９９
【補正方法】変更
【補正の内容】
【００９９】
具体的な実施形態において、ＵＥは、アップリンクにおいて少なくとも１つのサービングセルを用いて構成される。サービングセルは、ｃｅｌｌ１又はｃｅｌｌ２であり得る。いくつかの実施形態において、ｃｅｌｌ１及びｃｅｌｌ２は、単一のサービングセルのケースにおいて同じであり得る。いくつかの実施形態において、ｃｅｌｌ１及びｃｅｌｌ２は、２つのサービングセルのケースにおいて、相違し得る。例えば、いくつかの実施形態において、ｃｅｌｌ１及びｃｅｌｌ２はそれぞれ、ＰＣｅｌｌ及びＳＣｅｌｌに相当してもよく、又は、ｃｅｌｌ１及びｃｅｌｌ２はそれぞれ、ＳＣｅｌｌ及びＰＣｅｌｌに相当してもよい。便宜上、少なくとも１つのサービングセル（例えば、ｃｅｌｌ１）内での動作のために使用されるＴＴＩ１又はＴＴＩ２の決定される値に基づいて、ＵＥがｍａｓｋ１とｍａｓｋ２との間で選択を行うケースについて、具体的な実施形態の説明を行う。しかしながら、これらの実施形態は、ＴＴＩに基づいていかなる数のマスクから１つのマスクを選択することにも適用可能である。
【手続補正３】
【補正対象書類名】明細書
【補正対象項目名】０１０４
【補正方法】変更
【補正の内容】
【０１０４】
具体的な実施形態において、ＵＥは、以下の仕組みのうちの１つ以上に基づいて、ＴＴＩ１及び／又はＴＴＩ２を決定し得る。ＵＥは、予め定義された情報（例えば、ＴＴＩ１とＦ１という周波数帯域との間の関係、及び／又は、ＴＴＩ２とＦ２という周波数帯域との間の関係）を使用してもよい。ＵＥは、ネットワークノードから受信される構成（例えば、ＰＣｅｌｌ、ＳＣｅｌｌなど）を使用してもよい。例えば、ＵＥは、ダウンリンクにおいて制御信号を受信することにより、又は、ＲＲＣメッセージを受信することにより、任意のキャリアにおいて任意の時点で使用されるＴＴＩパターンを決定してもよい。
【手続補正４】
【補正対象書類名】明細書
【補正対象項目名】０１２６
【補正方法】変更
【補正の内容】
【０１２６】
図１１Ａ〜図１１Ｃは、いくつかの実施形態に係る、２つ以上の相前後するＴＴＩについて使用されるオン／オフ時間マスクを示すタイミング図である。図１１Ａは、相前後するＴＴＩにおいてアップリンクリソースがＵＥに割り当てられる場合の第３のタイプのマスクを示している。各ＴＴＩについての上昇過渡期及び下降過渡期は、各ＴＴＩの範囲内の時間に位置する。図１１Ｂは、相前後するＴＴＩにおいてアップリンクリソースがＵＥに割り当てられている場合の第４のタイプのマスクを示している。各ＴＴＩについての上昇過渡期及び下降過渡期は、各ＴＴＩの外側の時間に位置する。図１１Ｃは、相前後するＴＴＩにおいてアップリンクリソースがＵＥに割り当てられている場合の第５のタイプのマスクを示している。各ＴＴＩについての上昇過渡期は、各ＴＴＩの範囲内の時間に位置し、各ＴＴＩについての下降過渡期は、各ＴＴＩの外側の時間に位置する。２つの相前後するＴＴＩにおいてＵＥにリソースが割り当てられている場合の、異なるＴＴＩについて使用される異なるマスクの一例が、以下の表５に示されている。
【手続補正５】
【補正対象書類名】明細書
【補正対象項目名】０１６９
【補正方法】変更
【補正の内容】
【０１６９】
構成モジュール１３５０は、無線アクセスノード１３００Ａの構成機能を遂行し得る。例えば、構成モジュール１３５０は、図１４のステップ１４５２の構成機能を遂行し得る。ある実施形態において、構成モジュール１３５０は、プロセッサ１３０５を含み得るか、又は、プロセッサ１３０５内に含まれ得る。具体的な実施形態において、構成モジュール１３５０は、決定モジュール１３５２及び受信モジュール１３５４と通信し得る。
【国際調査報告】
2019537885.tif 000034
2019537885.tif 000035
2019537885.tif 000036